(57)【特許請求の範囲】
【請求項１】
ワイヤレス通信のための方法であって、
プロセッサが、無認可無線周波数スペクトル帯域を使用した送信のためのフレーム構造を識別すること、前記フレーム構造が、アクセス手順部分を含む少なくとも２つの特殊サブフレームを備え、前記アクセス手順部分が、調整可能な継続時間を有し、前記少なくとも２つの特殊サブフレームが、アップリンク特殊サブフレームとダウンリンク特殊サブフレームとを備える、と、
前記プロセッサが、リッスンビフォアトーク手順を実行すること、ここにおいて、前記リッスンビフォアトーク手順を実行することが、アップリンク特殊サブフレームの少なくとも一部分およびダウンリンク特殊サブフレームの少なくとも一部分において拡張クリアチャネルアセスメント（ｅＣＣＡ）手順を実行することを備える、と、
チャネル占有時間に関連する第１の値を識別することと、
前記第１の値に少なくとも部分的に基づいて第２の値を識別すること、前記第２の値が、成功したｅＣＣＡ手順が実行されたとき減分されるカウンタである、と、
前記第１の値と前記第２の値とに少なくとも部分的に基づいて前記調整可能な継続時間を動的に調整することと
を備える、ワイヤレス通信のための方法。
【請求項２】
前記フレーム構造が、時分割複信（ＴＤＤ）フレーム構造を備える、請求項１に記載の方法。
【請求項３】
前記ｅＣＣＡ手順が実行される前記少なくとも２つの特殊サブフレームのうちの前記少なくとも１つの前記アクセス手順部分を動的に調整すること
をさらに備える、請求項１に記載の方法。
【請求項４】
前記識別された第１の値が、４と３２との間の整数である、請求項１に記載の方法。
【請求項５】
前記少なくとも２つの特殊サブフレームのうちの少なくとも１つが、サイレント期間を備え、前記サイレント期間の継続時間が、前記第２の値に少なくとも部分的に基づく、請求項１に記載の方法。
【請求項６】
前記第２の値が０に等しいかどうかを決定すること
をさらに備える、請求項１に記載の方法。
【請求項７】
前記少なくとも２つの特殊サブフレームのうちの前記少なくとも１つの終わりに前記第２の値が０に等しくない場合、前記少なくとも２つの特殊サブフレームのうちの前記少なくとも１つの前記アクセス手順部分を越えて前記リッスンビフォアトーク手順を継続すること
をさらに備える、請求項６に記載の方法。
【請求項８】
前記第２の値が０に等しいと決定すると、情報信号を送信すること
をさらに備える、請求項６に記載の方法。
【請求項９】
前記情報信号が、チャネル使用ビーコン信号を備える、請求項８に記載の方法。
【請求項１０】
前記情報信号を送信するために前記少なくとも２つの特殊サブフレームのうちの前記少なくとも１つの前記アクセス手順部分の境界を動的に調整すること、前記境界の前記調整が、前記識別された第２の値に少なくとも部分的に基づく、
をさらに備える、請求項８に記載の方法。
【請求項１１】
前記第１の値が、アップリンク／ダウンリンク（ＵＬ／ＤＬ）構成に少なくとも部分的に基づいて識別される、請求項１に記載の方法。
【請求項１２】
前記第１の値が、前記無認可無線周波数スペクトル帯域のチャネルの負荷に少なくとも部分的に基づいて識別される、請求項１に記載の方法。
【請求項１３】
前記第１の値が、チャネルアクセス成功統計値に少なくとも部分的に基づいて識別される、請求項１に記載の方法。
【請求項１４】
前記チャネル占有時間に関連する前記第１の値を識別することが、ユニキャスト送信またはブロードキャスト送信を介して前記第１の値を受信することを備える、請求項１に記載の方法。
【請求項１５】
ユニキャスト送信またはブロードキャスト送信を介して前記識別された第１の値を送信すること
をさらに備える、請求項１に記載の方法。
【請求項１６】
前記第２の値に少なくとも部分的に基づいて前記リッスンビフォアトーク手順を基地局と同期させること
をさらに備える、請求項１に記載の方法。
【請求項１７】
前記第２の値が、ダウンリンクチャネル占有時間に少なくとも部分的に基づいて識別される、請求項１に記載の方法。
【請求項１８】
前記第２の値に少なくとも部分的に基づいて前記リッスンビフォアトーク手順をユーザ機器（ＵＥ）と同期させること
をさらに備える、請求項１に記載の方法。
【請求項１９】
ワイヤレス通信のための装置であって、
プロセッサと、
前記プロセッサと電子通信しているメモリと、
前記メモリに記憶された命令と
を備え、前記命令が、前記プロセッサによって、
プロセッサが、無認可無線周波数スペクトル帯域を使用した送信のためのフレーム構造を識別すること、前記フレーム構造が、アクセス手順部分を含む少なくとも２つの特殊サブフレームを備え、前記アクセス手順部分が、調整可能な継続時間を有し、前記少なくとも２つの特殊サブフレームが、アップリンク特殊サブフレームとダウンリンク特殊サブフレームとを備える、と、
前記プロセッサが、リッスンビフォアトーク手順を実行すること、ここにおいて、前記リッスンビフォアトーク手順を実行することが、アップリンク特殊サブフレームの少なくとも一部分およびダウンリンク特殊サブフレームの少なくとも一部分において拡張クリアチャネルアセスメント（ｅＣＣＡ）手順を実行することを備える、と、
チャネル占有時間に関連する第１の値を識別することと、
前記第１の値に少なくとも部分的に基づいて第２の値を識別すること、前記第２の値が、成功したｅＣＣＡ手順が実行されたとき減分されるカウンタである、と、
前記第１の値と前記第２の値とに少なくとも部分的に基づいて前記調整可能な継続時間を動的に調整することと
を行うように実行可能である、ワイヤレス通信のための装置。
【請求項２０】
ワイヤレス通信のための装置であって、
プロセッサが、無認可無線周波数スペクトル帯域を使用した送信のためのフレーム構造を識別するための手段、前記フレーム構造が、アクセス手順部分を含む少なくとも２つの特殊サブフレームを備え、前記アクセス手順部分が、調整可能な継続時間を有し、前記少なくとも２つの特殊サブフレームが、アップリンク特殊サブフレームとダウンリンク特殊サブフレームとを備える、と、
前記プロセッサが、リッスンビフォアトーク手順を実行するための手段、ここにおいて、前記リッスンビフォアトーク手順を実行することが、アップリンク特殊サブフレームの少なくとも一部分およびダウンリンク特殊サブフレームの少なくとも一部分において拡張クリアチャネルアセスメント（ｅＣＣＡ）手順を実行することを備える、と、
チャネル占有時間に関連する第１の値を識別するための手段と、
前記第１の値に少なくとも部分的に基づいて第２の値を識別するための手段、前記第２の値が、成功したｅＣＣＡ手順が実行されたとき減分されるカウンタである、と、
前記第１の値と前記第２の値とに少なくとも部分的に基づいて前記調整可能な継続時間を動的に調整するための手段と
を備える、ワイヤレス通信のための装置。
【請求項２１】
プロセッサが、無認可無線周波数スペクトル帯域を使用した送信のためのフレーム構造を識別すること、前記フレーム構造が、アクセス手順部分を含む少なくとも２つの特殊サブフレームを備え、前記アクセス手順部分が、調整可能な継続時間を有し、前記少なくとも２つの特殊サブフレームが、アップリンク特殊サブフレームとダウンリンク特殊サブフレームとを備える、と、
前記プロセッサが、リッスンビフォアトーク手順を実行すること、ここにおいて、前記リッスンビフォアトーク手順を実行することが、アップリンク特殊サブフレームの少なくとも一部分およびダウンリンク特殊サブフレームの少なくとも一部分において拡張クリアチャネルアセスメント（ｅＣＣＡ）手順を実行することを備える、と、
チャネル占有時間に関連する第１の値を識別することと、
前記第１の値に少なくとも部分的に基づいて第２の値を識別すること、前記第２の値が、成功したｅＣＣＡ手順が実行されたとき減分されるカウンタである、と、
前記第１の値と前記第２の値とに少なくとも部分的に基づいて前記調整可能な継続時間を動的に調整することと
をワイヤレス通信装置に行わせるようにプロセッサによって実行可能な命令を備える、コンピュータプログラム。
【発明の詳細な説明】
【技術分野】
【０００１】
相互参照
[0001]本特許出願は、各々が本出願の譲受人に譲渡された、出願された、「Ｔｅｃｈｎｉｑｕｅｓ  ｆｏｒ  Ｅｎｈａｎｃｉｎｇ  Ｆｒａｍｅ  Ｓｔｒｕｃｔｕｒｅ  ａｎｄ  Ｌｉｓｔｅｎ  Ｂｅｆｏｒｅ  Ｔａｌｋ  Ｐｒｏｃｅｄｕｒｅ  （ＬＢＴ）  ｆｏｒ  Ｔｒａｎｓｍｉｓｓｉｏｎｓ  Ｕｓｉｎｇ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｗｅｉらによる米国特許出願第１４／６６０，７１７号、および２０１４年６月１３日に出願された、「Ｔｅｃｈｎｉｑｕｅｓ  ｆｏｒ  Ｅｎｈａｎｃｉｎｇ  Ｆｒａｍｅ  Ｓｔｒｕｃｔｕｒｅ  ａｎｄ  Ｌｉｓｔｅｎ  Ｂｅｆｏｒｅ  Ｔａｌｋ  Ｐｒｏｃｅｄｕｒｅ  （ＬＢＴ）  ｆｏｒ  Ｔｒａｎｓｍｉｓｓｉｏｎｓ  Ｕｓｉｎｇ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｗｅｉらによる米国仮特許出願第６２／０１２，２５９号の優先権を主張する。
【０００２】
[0002]本開示は、たとえば、ワイヤレス通信システムに関し、より詳細には、無認可無線周波数スペクトル帯域を使用した送信のためのフレーム構造およびリッスンビフォアトーク手順（ＬＢＴ）を拡張するための技法に関する。
【背景技術】
【０００３】
[0003]ワイヤレス通信システムは、音声、ビデオ、パケットデータ、メッセージング、およびブロードキャストなどの様々なタイプの通信内容を提供するために広く展開されている。これらのシステムは、利用可能なシステムリソース（たとえば、時間、周波数、および電力）を共有することによって複数のユーザとの通信をサポートすることが可能な多重接続システムであり得る。そのような多重接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、各々が複数のユーザ機器（ＵＥ）のための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、セルラーネットワークの異なる無線周波数スペクトル帯域（たとえば、認可無線周波数スペクトル帯域および／または無認可無線周波数スペクトル帯域）を介してのＵＥとの通信を可能にし得る。セルラーネットワークにおけるデータトラフィックの増加とともに、少なくとも一部のデータトラフィックの、無認可無線周波数スペクトル帯域へのオフローディングは、セルラー事業者に拡張データ送信容量のための機会を提供し得る。無認可無線周波数スペクトル帯域へのアクセスを獲得し、無認可無線周波数スペクトル帯域を介してデータを送信するより前に、送信装置は、いくつかの例では、無認可無線周波数スペクトル帯域へのアクセスを獲得するために、リッスンビフォアトーク（ＬＢＴ：listen before talk）プロトコルを実施し得る。ＬＢＴプロトコルは、無認可無線周波数スペクトル帯域のチャネルが利用可能であるかどうかを決定するためにクリアチャネルアセスメント（ＣＣＡ）手順を実施することを含み得る。（たとえば、別のデバイスが無認可無線周波数スペクトル帯域のチャネルをすでに使用しているので）無認可無線周波数スペクトル帯域のチャネルが利用可能でないと決定されたとき、後で再びチャネルのためにＣＣＡ手順が実施され得る。
【０００６】
[0006]いくつかの場合、無認可無線周波数スペクトル帯域を介した１つまたは複数のノード（たとえば、Ｗｉ−Ｆｉノードおよび／または他の事業者のノード）による送信は、基地局またはＵＥが無認可無線周波数スペクトルにアクセスするのを妨げ、基地局またはＵＥが無認可無線周波数スペクトル帯域の使用に「飢える」ようになることがある。いくつかの場合、この飢餓の問題は、フレームベースの機器のために構成されたＬＢＴプロトコル（ＬＢＴ−ＦＢＥ：LBT protocol configured for frame based equipment）の代わりに、負荷ベースの機器のために構成されたＬＢＴプロトコル（ＬＢＴ−ＬＢＥ：LBT protocol configured for load based equipment）を使用することによって、軽減され得る。ＬＢＴ−ＬＢＥプロトコルでは、複数のＮ回のＣＣＡ手順を備える拡張ＣＣＡ（ｅＣＣＡ）手順が実行され得る。ＬＢＴ−ＬＢＥプロトコルとともに実行されるｅＣＣＡ手順は、（たとえば、ＬＢＴ−ＦＢＥプロトコルとともに実行される単一のＣＣＡ手順と比較して）無認可無線周波数スペクトル帯域にアクセスするためのより多くの機会を、基地局またはＵＥに与え得る。
【発明の概要】
【０００７】
[0007]本開示は、たとえば、無認可無線周波数スペクトル帯域を使用した送信のためのフレーム構造およびリッスンビフォアトーク（ＬＢＴ）手順を拡張するための１つまたは複数の技法に関する。ユーザ機器（ＵＥ）および基地局が、時分割複信（ＴＤＤ）プロトコルを使用して無認可無線周波数スペクトル帯域を介して通信するとき、ＵＥおよび基地局は、同じ周波数スペクトルを共有し得る。これは、ＵＥおよび基地局の拡張クリアチャネルアセスメント（ｅＣＣＡ）手順の複雑化をもたらし得る。本明細書で開示する技法は、無認可無線周波数スペクトル帯域へのアクセスを獲得するためにＵＥおよび／または基地局がＬＢＴ手順を実行することを可能にし得る１つまたは複数の特殊サブフレームをもつＴＤＤフレーム構造を識別する。
【０００８】
[0008]一例では、ワイヤレス通信のための方法について説明する。一例では、本方法は、無認可無線周波数スペクトル帯域を使用した送信のためのフレーム構造を識別することと、フレーム構造は、少なくとも２つの特殊サブフレームを含む、少なくとも２つの特殊サブフレームのうちの少なくとも１つの少なくとも一部分中に無認可無線周波数スペクトル帯域へのアクセスを獲得するための手順を実行することとを含み得る。
【０００９】
[0009]本方法のいくつかの例では、フレーム構造は、時分割複信（ＴＤＤ）フレーム構造を含み得る。本方法のいくつかの例では、少なくとも２つの特殊サブフレームのうちの少なくとも１つは、サイレント期間を含み得る。本方法のいくつかの例では、無認可無線周波数スペクトル帯域へのアクセスを獲得するための手順は、リッスンビフォアトーク手順を含み得る。本方法のいくつかの例では、リッスンビフォアトーク手順を実行することは、拡張クリアチャネルアセスメント（ｅＣＣＡ）手順を実行することを含み得る。本方法のいくつかの例では、少なくとも２つの特殊サブフレームは、アップリンク特殊サブフレームとダウンリンク特殊サブフレームとを含み得る。本方法のいくつかの例では、アップリンク特殊サブフレームの少なくとも一部分は、ｅＣＣＡ手順のために使用され得、ダウンリンク特殊サブフレームの少なくとも一部分は、ｅＣＣＡ手順のために使用され得る。本方法のいくつかの例では、アップリンク特殊サブフレームの少なくとも一部分は、サイレント期間を含み得、ダウンリンク特殊サブフレームの少なくとも一部分は、ｅＣＣＡ手順のために使用され得る。
【００１０】
[0010]本方法のいくつかの例では、フレーム構造は、少なくとも１つの特殊サブフレームを含み、本方法は、少なくとも１つの特殊サブフレームのうちの少なくとも一部分中に無認可無線周波数スペクトル帯域へのアクセスを獲得するための手順を実行することを含み得る。本方法のいくつかの例では、リッスンビフォアトーク手順を実行することは、ｅＣＣＡ手順を実行することを含み得る。本方法のいくつかの例では、少なくとも１つの特殊サブフレームの少なくとも一部分は、ＵＥと基地局との両方によるｅＣＣＡ手順のために使用され得る。
【００１１】
[0011]いくつかの例では、本方法は、ｅＣＣＡ手順が実行される少なくとも２つの特殊サブフレームのうちの少なくとも１つの一部分を動的に調整することを含み得る。本方法のいくつかの例では、少なくとも２つの特殊サブフレームのうちの少なくとも１つの一部分を動的に調整することは、チャネル占有時間に関連する第１の値を識別することと、第１の値に少なくとも部分的に基づいて第２の値を識別することと、第２の値は、ｅＣＣＡ手順の一部として実行すべき成功したＣＣＡ手順の数を示すカウンタである、を含み得る。本方法のいくつかの例では、少なくとも２つの特殊サブフレームのうちの少なくとも１つは、サイレント期間を含み得、サイレント期間の継続時間は、第２の値に少なくとも部分的に基づく。
【００１２】
[0012]いくつかの例では、本方法は、成功したＣＣＡ手順を決定することと、成功したＣＣＡ手順の決定時に第２の値を減分することと、第２の値が０に等しいかどうかを決定することとを含み得る。いくつかの例では、本方法は、少なくとも１つの特殊サブフレームの終わりに第２の値が０に等しくない場合、少なくとも２つの特殊サブフレームのうちの少なくとも１つの一部分を越えてリッスンビフォアトーク手順を継続することを含み得る。いくつかの例では、第２の値が０に等しいと決定すると、本方法は、情報信号を送信することをさらに含み得る。いくつかの例では、第２の値が０に等しいと決定すると、本方法は、単純なＣＣＡ手順を実行することと、情報信号を送信することとを含み得る。本方法のいくつかの例では、情報信号は、チャネル使用ビーコン信号を含み得る。本方法のいくつかの例では、情報信号は、チャネル使用ビーコン信号の少なくとも１つのシンボルを含み得る。
【００１３】
[0013]いくつかの例では、本方法は、情報信号を送信するために少なくとも２つの特殊サブフレームのうちの少なくとも１つの一部分の境界を動的に調整すること、境界の調整は、識別された第２の値に少なくとも部分的に基づく、を含み得る。本方法のいくつかの例では、チャネル占有時間に関連する第１の値を識別することは、複数の第１の値を備えるデータベースにアクセスすることと、データベースから複数の第１の値のうちの１つを選択することとを含み得る。本方法のいくつかの例では、チャネル占有時間に関連する第１の値を識別することは、ユニキャスト送信またはブロードキャスト送信を介して第１の値を受信することを含み得る。
【００１４】
[0014]いくつかの例では、本方法は、ユニキャスト送信またはブロードキャスト送信を介して識別された第１の値を送信することを含み得る。本方法のいくつかの例では、第１の値は、アップリンク／ダウンリンク（ＵＬ／ＤＬ）構成に少なくとも部分的に基づいて識別される。本方法のいくつかの例では、第１の値は、無認可無線周波数スペクトル帯域のチャネルの負荷に少なくとも部分的に基づいて識別される。本方法のいくつかの例では、第１の値は、チャネルアクセス成功統計値に少なくとも部分的に基づいて識別される。
【００１５】
[0015]いくつかの例では、本方法は、第２の値に少なくとも部分的に基づいてリッスンビフォアトーク手順を基地局と同期させることを含み得る。本方法のいくつかの例では、第２の値は、ダウンリンクチャネル占有時間に少なくとも部分的に基づいて識別される。いくつかの例では、本方法は、第２の値に少なくとも部分的に基づいてリッスンビフォアトーク手順をＵＥと同期させることを含み得る。本方法のいくつかの例では、第２の値は、アップリンクチャネル占有時間に少なくとも部分的に基づいて識別される。
【００１６】
[0016]一例では、ワイヤレス通信のための装置について説明する。一例では、装置は、プロセッサと、プロセッサと電子通信しているメモリと、メモリに記憶された命令とを含み得る。命令は、無認可無線周波数スペクトル帯域を使用した送信のためのフレーム構造を識別することと、フレーム構造は、少なくとも２つの特殊サブフレームを含む、少なくとも２つの特殊サブフレームのうちの少なくとも１つの少なくとも一部分中に無認可無線周波数スペクトル帯域へのアクセスを獲得するための手順を実行することとを行うようにプロセッサによって実行可能であり得る。いくつかの例では、命令はまた、例示的な例の第１のセットに関して上記で説明したワイヤレス通信のための方法の１つまたは複数の態様を実施するようにプロセッサによって実行可能であり得る。
【００１７】
[0017]一例では、ワイヤレス通信のための別の装置について説明する。一例では、本装置は、無認可無線周波数スペクトル帯域を使用した送信のためのフレーム構造を識別するための手段と、フレーム構造は、少なくとも２つの特殊サブフレームを含む、少なくとも２つの特殊サブフレームのうちの少なくとも１つの少なくとも一部分中に無認可無線周波数スペクトル帯域へのアクセスを獲得するための手順を実行するための手段とを含み得る。いくつかの例では、本装置は、例示的な例の第１のセットに関して上記で説明したワイヤレス通信のための方法の１つまたは複数の態様を実装するための手段をさらに含み得る。
【００１８】
[0018]一例では、ワイヤレス通信システム中のワイヤレス通信装置による通信のためのコンピュータプログラム製品について説明する。一例では、コンピュータプログラム製品は、無認可無線周波数スペクトル帯域を使用した送信のためのフレーム構造を識別することと、フレーム構造は、少なくとも２つの特殊サブフレームを含む、少なくとも２つの特殊サブフレームのうちの少なくとも１つの少なくとも一部分中に無認可無線周波数スペクトル帯域へのアクセスを獲得するための手順を実行することとをワイヤレス通信装置に行わせるようにプロセッサによって実行可能な命令を記憶する非一時的コンピュータ可読媒体を含み得る。いくつかの例では、命令はまた、例示的な例の第１のセットに関して上記で説明したワイヤレス通信のための方法の１つまたは複数の態様を実装することをワイヤレス通信装置に行わせるようにプロセッサによって実行可能であり得る。
【００１９】
[0019]上記では、以下の詳細な説明がより良く理解され得るように、本開示による例の特徴および技術的利点をかなり広範に概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。関連する利点とともに、本明細書で開示する概念の編成と動作の方法の両方に関して、それらの概念を特徴づけると考えられる特徴は、添付の図に関連して以下の説明を検討するとより良く理解されよう。図の各々は、例示および説明のみの目的で提供され、特許請求の範囲を定めるものではない。
【００２０】
[0020]以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００２１】
【図１】[0021]本開示の様々な態様による、ワイヤレス通信システムのブロック図。
【図２】[0022]本開示の様々な態様による、無認可無線周波数スペクトル帯域を使用する異なるシナリオの下でＬＴＥ（登録商標）／ＬＴＥ−Ａが展開されるワイヤレス通信システムを示す図。
【図３】[0023]本開示の様々な態様による、無認可無線周波数スペクトル帯域を介したワイヤレス通信のためのフレーム構造の一例を示す図。
【図４】[0024]本開示の様々な態様による、無認可無線周波数スペクトル帯域を介したワイヤレス通信のためのフレーム構造の一例を示す図。
【図５】[0025]本開示の様々な態様による、無認可無線周波数スペクトル帯域を介したワイヤレス通信のためのフレーム構造の一例を示す図。
【図６】[0026]本開示の様々な態様による、無認可無線周波数スペクトル帯域を介したワイヤレス通信のためのフレーム構造の一例を示す図。
【図７】[0027]本開示の様々な態様による、無認可無線周波数スペクトル帯域を介したワイヤレス通信のためのフレーム構造の一例を示す図。
【図８】[0028]本開示の様々な態様による、ワイヤレス通信において使用するための装置のブロック図。
【図９】[0029]本開示の様々な態様による、ワイヤレス通信において使用するための装置のブロック図。
【図１０】[0030]本開示の様々な態様による、ワイヤレス通信において使用するための装置のブロック図。
【図１１】[0031]本開示の様々な態様による、ワイヤレス通信において使用するための基地局（たとえば、ｅＮＢの一部または全部を形成する基地局）のブロック図。
【図１２】[0032]本開示の様々な態様による、ワイヤレス通信において使用するためのＵＥのブロック図。
【図１３】[0033]本開示の様々な態様による、ワイヤレス通信の方法の一例を示すフローチャート。
【図１４】[0034]本開示の様々な態様による、ワイヤレス通信の方法の一例を示すフローチャート。
【発明を実施するための形態】
【００２２】
[0035]無認可無線周波数スペクトル帯域を使用した送信のためのフレーム構造を拡張する技法について説明する。いくつかの例では、無認可無線周波数スペクトル帯域は、無線周波数スペクトル帯域が無認可の用途（たとえば、無認可周波数スペクトル帯域におけるＷｉ−Ｆｉ用途および／またはロングタームエボリューション（ＬＴＥ）／ＬＴＥアドバンスト（ＬＴＥ−Ａ）用途）のために少なくとも部分的に利用可能であるので装置がアクセスを求めて競合する必要があり得る無線周波数スペクトル帯域であり得る。いくつかの例では、無認可無線周波数スペクトル帯域はセルラー通信（たとえば、ＬＴＥ通信および／またはＬＴＥ−Ａ通信）のために使用され得る。
【００２３】
[0036]負荷ベースの機器のために構成されたリッスンビフォアトーク（ＬＢＴ）（ＬＢＴ−ＬＢＥ）プロトコルなどの競合アクセスプロトコルは、ワイヤレス通信媒体への不当な共有アクセスの効果（たとえば、無認可無線周波数スペクトル帯域へのアクセスの飢餓）を低減するために使用され得る。しかしながら、送信機が無線フレームごとに１つのクリアチャネルアセスメント（ＣＣＡ）手順を実行し、媒体へのアクセスが、１つのＣＣＡ手順の結果に基づいて達成されるかまたは達成されないフレームベースの機器のために構成されたＬＢＴ（ＬＢＴ−ＦＢＥ）プロトコルとは対照的に、ＬＢＴ−ＬＢＥプロトコルは、拡張ＣＣＡ（ｅＣＣＡ）手順の実行を必要とする。ｅＣＣＡ手順は、次に、Ｎ回のＣＣＡ手順のランダムな数の実行を伴う。
【００２４】
[0037]ネットワークは、複数のユーザ機器（ＵＥ）と基地局とを含み得る。ＵＥと基地局とが、時分割複信（ＴＤＤ）プロトコルを使用して無認可無線周波数スペクトル帯域を介して通信するとき、ＵＥと基地局とは、同じ周波数スペクトル帯域を使用し得る。これは、ＵＥおよび／または基地局のｅＣＣＡ手順の複雑化をもたらし得る。ＵＥおよび／または基地局は、無認可無線周波数スペクトル帯域のチャネルを使用した送信をそれらが完了するたびにｅＣＣＡ手順を実行し得る。ＵＥおよび／または基地局は、それらが送信していない限り、連続的にｅＣＣＡ手順を実行し得る。ＵＥおよび／または基地局はまた、アップリンクまたはダウンリンク送信におけるいかなるギャップ中にも連続的にｅＣＣＡ手順を実行し得る。ＵＥおよび／または基地局は、次いで、１つのＣＣＡ手順の後にチャネルにアクセスし得る。
【００２５】
[0038]本明細書で説明する技法は、ＵＥおよび／または基地局がｅＣＣＡ手順を正常に実行し、無認可無線周波数スペクトル帯域へのアクセスを獲得することを可能にし得る１つまたは複数の特殊サブフレームをもつＴＤＤフレーム構造を識別し得る。１つまたは複数の特殊サブフレームは、調整可能な継続時間をもつアクセス手順部分を含み得る。調整可能な継続時間により、ＵＥおよび／または基地局は、ＴＤＤプロトコルを使用した周波数スペクトル帯域の共有によって生じる複雑化を回避するためにそれらのＬＢＴ手順および／または情報信号送信を同期させることが可能になり得る。
【００２６】
[0039]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭＡ（登録商標）などの無線技術を実装し得る。ＵＴＲＡおよびＥ−ＵＴＲＡはユニバーサルモバイルテレコミュニケーションシステム（ＵＭＴＳ）の一部である。３ＧＰＰ（登録商標）  ＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術に使用され得る。しかしながら、以下の説明では、例としてＬＴＥシステムについて説明し、以下の説明の大部分でＬＴＥ用語が使用されるが、本技法はＬＴＥ適用例以外に適用可能である。
【００２７】
[0040]以下の説明は例を提供するものであり、特許請求の範囲に記載される範囲、適用可能性、または例を限定するものではない。本開示の趣旨および範囲から逸脱することなく、説明する要素の機能および配置において変更が行われ得る。様々な例は、適宜に様々な手順または構成要素を省略、置換、または追加し得る。たとえば、説明する方法は、説明する順序とは異なる順序で実施され得、様々なステップが追加、省略、または組み合わされ得る。また、いくつかの例に関して説明する特徴は、他の例において組み合わされ得る。
【００２８】
[0041]図１は、本開示の様々な態様による、ワイヤレス通信システム１００のブロック図を示す。ワイヤレス通信システム１００は、複数の基地局１０５（たとえば、１つまたは複数の発展型ノードＢ（ｅＮＢ）の一部または全体を形成する基地局）と、複数のＷｉ−Ｆｉアクセスポイント１３５と、いくつかのＵＥ１１５と、コアネットワーク１３０とを含み得る。基地局１０５のいくつかは、様々な例ではコアネットワーク１３０の一部または基地局１０５のうちのいくつかであり得る、基地局コントローラ（図示せず）の制御下でＵＥ１１５と通信し得る。基地局１０５のうちのいくつかは、バックホール１３２を通してコアネットワーク１３０と制御情報および／またはユーザデータを通信し得る。いくつかの例では、基地局１０５のうちのいくつかは、ワイヤードまたはワイヤレス通信リンクであり得るバックホールリンク１３４を介して互いに直接または間接的に通信し得る。ワイヤレス通信システム１００は、複数のキャリア（様々な周波数の波形信号）上での動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各々の変調された信号は、異なるキャリア上で送られ得、制御情報（たとえば、基準信号、制御チャネルなど）、オーバーヘッド情報、データなどを搬送し得る。
【００２９】
[0042]基地局１０５は、１つまたは複数の基地局アンテナを介してＵＥ１１５とワイヤレス通信し得る。Ｗｉ−Ｆｉアクセスポイント１３５は、１つまたは複数のＷｉ−Ｆｉアンテナを介してＵＥ１１５と通信し得る。基地局１０５およびＷｉ−Ｆｉアクセスポイント１３５の各々は、それぞれのカバレージエリア１１０または１４０に通信カバレージを提供し得る。いくつかの例では、基地局１０５は、アクセスポイント、基地トランシーバ局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、または何らかの他の好適な用語で呼ばれることがある。基地局１０５のためのカバレージエリア１１０は、カバレージエリアの一部分のみを構成するセクタに分割され得る。ワイヤレス通信システム１００は、異なるタイプ（たとえば、マクロ基地局、マイクロ基地局、および／またはピコ基地局）の基地局１０５を含み得る。基地局１０５はまた、ワイヤレスワイドエリアネットワーク（ＷＷＡＮ）および／またはワイヤレスローカルエリアネットワーク（ＷＬＡＮ）無線アクセス技術（たとえば、セルラーおよび／またはＷｉ−Ｆｉ無線アクセス技術）などの異なる無線技術を利用し得る。基地局１０５は、同じまたは異なるアクセスネットワークまたは事業者展開に関連付けられ得る。同じもしくは異なるタイプの基地局１０５のカバレージエリアを含み、同じもしくは異なる無線技術を利用し、および／または同じもしくは異なるアクセスネットワークに属する、異なる基地局１０５のカバレージエリアは重複し得る。
【００３０】
[0043]いくつかの例では、ワイヤレス通信システム１００は、ＬＴＥ／ＬＴＥ−Ａ通信システム（またはネットワーク）を含み得、ＬＴＥ／ＬＴＥ−Ａ通信システムは、認可無線周波数スペクトル帯域（たとえば、スペクトル帯域が特定の用途のために特定のユーザに認可されているので、装置がアクセスを求めて競合しない無線周波数スペクトル帯域）、ならびに／あるいは無認可無線周波数スペクトル帯域（たとえば、無線周波数スペクトル帯域が無認可の用途（たとえば、無認可無線周波数スペクトル帯域におけるＷｉ−Ｆｉ用途および／またはＬＴＥ／ＬＴＥ−Ａ用途のために少なくとも部分的に利用可能であるので、装置がアクセスを求めて競合する必要があり得る無線周波数スペクトル帯域）における１つまたは複数の動作モードまたは展開をサポートし得る。他の例では、ワイヤレス通信システム１００は、ＬＴＥ／ＬＴＥ−Ａとは異なる１つまたは複数のアクセス技術を使用してワイヤレス通信をサポートし得る。ＬＴＥ／ＬＴＥ−Ａ通信システムでは、たとえば、基地局１０５の各々またはグループを記述するために、発展型ノードＢまたはｅＮＢという用語が使用され得る。
【００３１】
[0044]ワイヤレス通信システム１００は、異なるタイプの基地局１０５が様々な地理的領域にカバレージを提供する、異種ＬＴＥ／ＬＴＥ−Ａネットワークであるかまたはそれを含み得る。たとえば、各基地局１０５は、マクロセル、ピコセル、フェムトセル、および／または他のタイプのセルに通信カバレージを提供し得る。ピコセル、フェムトセル、および／または他のタイプのセルなどのスモールセルは、低電力ノードまたはＬＰＮを含み得る。マクロセルは、たとえば、比較的大きい地理的エリア（たとえば、半径数キロメートル）をカバーし、ネットワークプロバイダのサービスに加入しているＵＥによる無制限アクセスを可能にし得る。ピコセルは、たとえば、比較的小さい地理的エリアをカバーし、ネットワークプロバイダのサービスに加入しているＵＥによる無制限アクセスを可能にし得る。また、フェムトセルは、たとえば、比較的小さい地理的エリア（たとえば、自宅）をカバーし、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスも提供し得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００３２】
[0045]コアネットワーク１３０は、バックホール１３２（たとえば、Ｓ１アプリケーションプロトコルなど）を介して基地局１０５と通信し得る。基地局１０５はまた、たとえば、バックホールリンク１３４（たとえば、Ｘ２アプリケーションプロトコルなど）を介しておよび／またはバックホール１３２を介して（たとえば、コアネットワーク１３０を通じて）、直接または間接的に互いに通信し得る。ワイヤレス通信システム１００は、同期動作または非同期動作をサポートし得る。同期動作の場合、ｅＮＢは同様の無線フレームおよび／またはゲーティングタイミングを有し得、異なるｅＮＢからの送信は時間的にほぼ整合され得る。非同期動作の場合、ｅＮＢは異なる無線フレームおよび／またはゲーティングタイミングを有し得、異なるｅＮＢからの送信は時間的に整合されないことがある。
【００３３】
[0046]ＵＥ１１５は、ワイヤレス通信システム１００全体にわたって分散されていることがある。ＵＥ１１５は、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮ（たとえば、Ｗｉ−Ｆｉ）アクセスネットワークなど、異なるタイプのアクセスネットワーク上で通信することが可能であり得る。ＵＥ１１５との通信のいくつかのモードでは、複数の通信リンク１２５またはチャネル（すなわち、コンポーネントキャリア）を介して通信が行われ得、各チャネルは、ＵＥ１１５といくつかのセル（たとえば、場合によってはそれらのセルが同じまたは異なる基地局１０５によって動作され得る、サービングセル）の１つとの間のコンポーネントキャリアを使用する。
【００３４】
[0047]各コンポーネントキャリアは、認可無線周波数スペクトル帯域または無認可無線周波数スペクトル帯域を介して提供され得、特定の通信モードで使用されるコンポーネントキャリアのセットは、すべて、（たとえば、ＵＥ１１５において）認可無線周波数スペクトル帯域を介して受信されるか、すべて、（たとえば、ＵＥ１１５において）無認可無線周波数スペクトル帯域を介して受信されるか、または（たとえば、ＵＥ１１５において）認可無線周波数スペクトル帯域と無認可無線周波数スペクトル帯域との組合せを介して受信され得る。
【００３５】
[0048]ワイヤレス通信システム１００に示された通信リンク１２５は、アップリンク（ＵＬ）通信（たとえば、ＵＥ１１５から基地局１０５への送信）を搬送するための（コンポーネントキャリアを使用する）アップリンクチャネル、および／またはダウンリンク（ＤＬ）通信（たとえば、基地局１０５からＵＥ１１５への送信）を搬送するための（コンポーネントキャリアを使用する）ダウンリンクチャネルを含み得る。ＵＬ通信または送信は逆方向リンク通信または送信と呼ばれることもあり、一方、ＤＬ通信または送信は順方向リンク通信または送信と呼ばれることもある。ＤＬ通信および／またはＵＬ通信は、認可無線周波数スペクトル帯域、無認可無線周波数スペクトル帯域、またはその両方を使用して行われ得る。
【００３６】
[0049]ワイヤレス通信システム１００のいくつかの例では、ＬＴＥ／ＬＴＥ−Ａは、無認可無線周波数スペクトル帯域を使用する異なるシナリオの下で展開され得る。展開シナリオは、認可無線周波数スペクトル帯域におけるＬＴＥ／ＬＴＥ−Ａダウンリンク通信が無認可無線周波数スペクトル帯域にオフロードされ得る補足ダウンリンクモード、ＬＴＥ／ＬＴＥ−Ａダウンリンク通信とＬＴＥ／ＬＴＥ−Ａアップリンク通信の両方が認可無線周波数スペクトル帯域から無認可無線周波数スペクトル帯域にオフロードされ得るキャリアアグリゲーションモード、ならびに／あるいは基地局１０５とＵＥ１１５との間のＬＴＥ／ＬＴＥ−Ａダウンリンクおよびアップリンク通信が無認可無線周波数スペクトル帯域において行われ得るスタンドアロンモードを含み得る。基地局１０５ならびにＵＥ１１５は、いくつかの例では、これらまたは同様の動作モードのうちの１つまたは複数をサポートし得る。ＯＦＤＭＡ波形は、認可無線周波数スペクトル帯域および／または無認可無線周波数スペクトル帯域におけるＬＴＥ／ＬＴＥ−Ａダウンリンク通信のための通信リンク１２５において使用され得、ＯＦＤＭＡ、ＳＣ−ＦＤＭＡおよび／またはリソースブロックインターリーブＦＤＭＡ波形は、認可無線周波数スペクトル帯域および／または無認可無線周波数スペクトル帯域におけるＬＴＥ／ＬＴＥ−Ａアップリンク通信のための通信リンク１２５において使用され得る。
【００３７】
[0050]いくつかの例では、基地局１０５のうちの１つまたは複数および／あるいはＵＥ１１５のうちの１つまたは複数は、無認可無線周波数スペクトル帯域を使用した送信のために拡張フレーム構造を利用し得る。拡張フレーム構造は、無認可無線周波数スペクトル帯域へのアクセスを獲得するための手順を実行するための調整可能な継続時間を与える特殊サブフレームを含み得る。フレーム構造中の調整可能な継続時間により、基地局１０５および／またはＵＥ１１５は、それらのアクセス手順およびチャネル使用信号を同期させることが可能になり得る。基地局１０５および／またはＵＥ１１５によって実行されるアクセス手順は、同期を助けるために値を共有し得る。
【００３８】
[0051]図２は、本開示の様々な態様による、無認可無線周波数スペクトル帯域を使用する異なるシナリオの下でＬＴＥ／ＬＴＥ−Ａが展開されるワイヤレス通信システム２００を示す。より詳細には、図２は、無認可無線周波数スペクトル帯域を使用してＬＴＥ／ＬＴＥ−Ａが展開される、補足ダウンリンクモードと、キャリアアグリゲーションモードと、スタンドアロンモードとの例を示す。ワイヤレス通信システム２００は、図１に関して説明したワイヤレス通信システム１００の部分の一例であり得る。その上、第１の基地局２０５および第２の基地局２０５−ａは、図１を参照して説明した基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１を参照して説明したＵＥ１１５のうちの１つまたは複数の態様の例であり得る。
【００３９】
[0052]ワイヤレス通信システム２００における補足ダウンリンクモードの例では、第１の基地局２０５は、ダウンリンクチャネル２２０を使用して第１のＵＥ２１５にＯＦＤＭＡ波形を送信し得る。ダウンリンクチャネル２２０は、無認可無線周波数スペクトル帯域において周波数Ｆ１に関連付けられ得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、認可無線周波数スペクトル帯域における周波数Ｆ４に関連付けられ得る。無認可無線周波数スペクトル帯域におけるダウンリンクチャネル２２０、および認可無線周波数スペクトル帯域における第１の双方向リンク２２５は、同時に動作し得る。ダウンリンクチャネル２２０は、第１の基地局２０５にダウンリンク容量のオフロードを提供し得る。いくつかの例では、ダウンリンクチャネル２２０は、（たとえば、１つのＵＥに宛てられる）ユニキャストサービスのために、または（たとえば、いくつかのＵＥに宛てられる）マルチキャストサービスのために使用され得る。補足ダウンリンクシナリオは、認可無線周波数スペクトルを使用し、トラフィックおよび／またはシグナリング輻輳の一部を軽減する必要がある、任意のサービスプロバイダ（たとえば、モバイルネットワーク事業者（ＭＮＯ））に対して生じ得る。
【００４０】
[0053]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、および／またはリソースブロックインターリーブＦＤＭＡ波形を受信し得る。第２の双方向リンク２３０は、無認可無線周波数スペクトル帯域における周波数Ｆ１に関連付けられ得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、認可無線周波数スペクトル帯域における周波数Ｆ２に関連付けられ得る。第２の双方向リンク２３０は、第１の基地局２０５にダウンリンク容量およびアップリンク容量のオフロードを提供し得る。上記で説明した補足ダウンリンクのように、このシナリオは、認可無線周波数スペクトルを使用し、トラフィックおよび／またはシグナリング輻輳の一部を軽減する必要がある、任意のサービスプロバイダ（たとえば、ＭＮＯ）に対して生じ得る。
【００４１】
[0054]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、および／またはリソースブロックインターリーブ波形を受信し得る。第４の双方向リンク２４０は、無認可無線周波数スペクトル帯域における周波数Ｆ３に関連付けられ得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、認可無線周波数スペクトル帯域における周波数Ｆ２に関連付けられ得る。第４の双方向リンク２４０は、第１の基地局２０５にダウンリンク容量およびアップリンク容量のオフロードを提供し得る。この例および上記で与えられた例は、説明の目的で提示され、容量オフロードのために認可無線周波数スペクトルにおけるＬＴＥ／ＬＴＥ−Ａと無認可アクセス無線周波数スペクトルにおけるＬＴＥ／ＬＴＥ−Ａとを組み合わせる他の同様の動作モードまたは展開シナリオが存在し得る。
【００４２】
[0055]上記で説明したように、無認可アクセス無線周波数スペクトルにおけるＬＴＥ／ＬＴＥ−Ａを使用することによって提供される容量オフロードから恩恵を受け得る１つのタイプのサービスプロバイダは、ＬＴＥ／ＬＴＥ−Ａ認可無線周波数スペクトル帯域へのアクセス権を有する従来のＭＮＯである。これらのサービスプロバイダについて、運用上の例としては、認可無線周波数スペクトル帯域上のＬＴＥ／ＬＴＥ−Ａ１次コンポーネントキャリア（ＰＣＣ）と、無認可無線周波数スペクトル帯域上の少なくとも１つの２次コンポーネントキャリア（ＳＣＣ）とを使用するブートストラップモード（たとえば、補足ダウンリンク、キャリアアグリゲーション）があり得る。
【００４３】
[0056]キャリアアグリゲーションモードでは、データおよび制御は、たとえば、（たとえば、第１の双方向リンク２２５と、第３の双方向リンク２３５と、第５の双方向リンク２４５とを介して）認可無線周波数スペクトルにおいて通信され得、データは、たとえば、（たとえば、第２の双方向リンク２３０と、第４の双方向リンク２４０とを介して）無認可無線周波数スペクトル帯域において通信され得る。無認可無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００４４】
[0057]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、および／またはリソースブロックインターリーブＦＤＭＡ波形を受信し得る。双方向リンク２５０は、無認可無線周波数スペクトル帯域における周波数Ｆ３に関連付けられ得る。スタンドアロンモードは、スタジアム内アクセス（たとえば、ユニキャスト、マルチキャスト）など、非従来型ワイヤレスアクセスシナリオにおいて使用され得る。この動作モードのためのサービスプロバイダのタイプの一例は、認可無線周波数スペクトル帯域へのアクセスを有しないスタジアムオーナー、ケーブル会社、イベントホスト、ホテル、企業、または大会社であり得る。
【００４５】
[0058]いくつかの例では、図１および／または図２を参照して説明した基地局１０５、２０５、および／または２０５−ａのうちの１つ、ならびに／あるいは図１および／または図２を参照して説明したＵＥ１１５、２１５、２１５−ａ、２１５−ｂ、および／または２１５−ｃのうちの１つなど、送信装置は、無認可無線周波数スペクトル帯域のチャネルへの（たとえば、無認可無線周波数スペクトル帯域の物理チャネルへの）アクセスを獲得するために、ゲーティング間隔を使用し得る。ゲーティング間隔は、ＥＴＳＩ（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置がＣＣＡ手順などの競合手順をいつ実施する必要があるかを示し得る。いくつかの例（たとえば、ＬＢＴ−ＬＢＥの例）では、ＣＣＡ手順はｅＣＣＡ手順を含み得る。ＣＣＡまたはｅＣＣＡ手順の結果は、無認可無線周波数スペクトル帯域のチャネルが（ＬＢＴ無線フレームまたはＣＣＡ無線フレームとも呼ばれる）ゲーティング間隔中に利用可能であるのか使用中であるのかを送信装置に示し得る。チャネルが、対応するＬＢＴ無線フレーム中に利用可能（たとえば、使用のために「クリア」）であることをＣＣＡまたはｅＣＣＡ手順が示すとき、送信装置は、ＬＢＴ無線フレームの一部または全部の間に無認可無線周波数スペクトル帯域のチャネルを予約および／または使用し得る。チャネルが利用可能でないこと（たとえば、チャネルが別の装置によって使用中または予約済みであること）をＣＣＡまたはｅＣＣＡ手順が示すとき、送信装置は、ＬＢＴ無線フレーム中にチャネルを使用するのを妨げられ得る。
【００４６】
[0059]ＬＢＴ−ＬＢＥプロトコルのいくつかの例では、送信装置は、１とｑの間のランダムな整数Ｎを選択することによって、ｅＣＣＡ手順を実行し得、ここで、ｑは、事業者またはベンダーによって広告される４≦ｑ≦３２の値を有する。ランダムな整数Ｎの値を選択すると、送信装置は、無認可無線周波数スペクトル帯域のチャネルが空いていることが判明するＮ回のＣＣＡ手順のために、無認可無線周波数スペクトル帯域にアクセスするのを待機し得る。Ｎの値は、展開中の他の送信装置と共有され得る。Ｎ回のＣＣＡ手順のために無認可無線周波数スペクトル帯域のチャネルが空いていることが判明すると、送信装置は、無認可無線周波数スペクトル帯域を介して送信し得る。送信を完了した後に、送信装置は、別のｅＣＣＡ手順を実行し得る。最大チャネル占有時間（すなわち、ＭａｘＣｈａｎｎｅｌＯｃｃｕｐａｎｃｙＴｉｍｅ）は、フレーム構造中のサブフレームの数に少なくとも部分的に基づき得る。いくつかの例では、フレームは、１０個のサブフレームを含み得る。１０個のサブフレームは、仮想ＬＢＴフレームに対応し得る。送信機からの送信を受信すると、受信機は、最後の成功したＣＣＡ手順またはｅＣＣＡ手順がＭａｘＣｈａｎｎｅｌＯｃｃｕｐａｎｃｙＴｉｍｅ前よりも最近に実行されていれば、肯定応答／否定応答（ＡＣＫ／ＮＡＣＫ）送信を直ちに開始し得る。
【００４７】
[0060]ＬＢＴ−ＦＢＥプロトコルに勝るＬＢＴ−ＬＢＥプロトコルの１つの利点は、送信機（または送信装置）が媒体にアクセスしようと永続的に試みることである。送信機は、少なくともＮ回のＣＣＡ手順のランダム継続時間の間媒体にアクセスしようと試みる。ｑのより小さな値は、最大のｅＣＣＡ手順の持続時間がより短くなることと、無線フレームの長さがより短くなることとを暗示する。ＬＢＴ−ＬＢＥプロトコルの１つの欠点は、複数の送信機が周波数スペクトルを共有するとき、複数の送信機の連続するＣＣＡ手順が、互いに潜在的に干渉し得ることである。
【００４８】
[0061]ＬＢＴ−ＬＢＥプロトコルのいくつかの例では、送信装置のｅＣＣＡ手順は、特殊サブフレームのアクセス手順部分中に実行され得る。特殊サブフレームのアクセス手順部分中に実行されるＣＣＡ手順の数は、アクセス手順部分の継続時間に基づいて調整され得る。継続時間は、チャネル占有時間とパラメータｑとに少なくとも部分的に基づいて調整され得る。ＣＣＡ手順が特殊なフレームのアクセス手順部分中に実行されるたびに、Ｎの値は１ずつ減らされる。ｅＣＣＡ手順は、Ｎの値が０に達するまで継続し得、０に達した時点で、チャネル使用信号が送信され得る。
【００４９】
[0062]図３に、本開示の様々な態様による、無認可無線周波数スペクトル帯域を介したワイヤレス通信のためのフレーム構造３００の一例を示す。いくつかの例では、無認可無線周波数スペクトル帯域は、無線周波数スペクトル帯域が無認可の用途（たとえば、無認可無線周波数スペクトル帯域におけるＷｉ−Ｆｉ用途および／またはＬＴＥ／ＬＴＥ−Ａ用途）のために少なくとも部分的に利用可能であるので装置がアクセスを求めて競合する必要があり得る無線周波数スペクトル帯域であり得る。
【００５０】
[0063]例として、図３に示すフレーム構造３００は、アップリンクサブフレーム３０５とダウンリンクサブフレーム３１５とを含み得る。フレーム構造は、さらに、ダウンリンク特殊サブフレーム３１０とアップリンク特殊サブフレーム３２０とを含み得る。ダウンリンク特殊サブフレーム３１０は、ダウンリンクサブフレーム３１５の送信の前に発生し得、アップリンク特殊サブフレーム３２０は、アップリンクサブフレーム３０５の送信より前に発生し得る。いくつかの例では、ダウンリンク特殊サブフレーム３１０−ａは、アップリンクサブフレーム３０５−ａの後に、およびダウンリンクサブフレーム３１５−ａ〜３１５−ｆより前に配置され得る。アップリンク特殊サブフレーム３２０は、ダウンリンクサブフレーム３１５−ａ〜３１５−ｆの後に、およびアップリンクサブフレーム３０５−ｂおよび３０５−ｃより前に配置され得る。次のダウンリンク特殊サブフレーム３１０−ｂは、アップリンクサブフレーム３０５−ｃの後にくることがある。次のダウンリンク特殊サブフレーム３１０−ｂの後に、追加のダウンリンクサブフレーム３１５−ｇが続き得る。
【００５１】
[0064]ダウンリンクサブフレーム３１５−ａ〜３１５−ｆと、アップリンク特殊サブフレーム３２０と、アップリンクサブフレーム３０５−ｂおよび３０５−ｃと、ダウンリンク特殊サブフレーム３１０−ｂとは、仮想ＬＢＴフレーム３６０を形成し得る。アップリンクサブフレーム３０５と、ダウンリンク特殊サブフレーム３１０と、ダウンリンクサブフレーム３１５と、アップリンク特殊サブフレーム３２０とは、同様のパターンで継続し得、仮想ＬＢＴフレーム３６０の前および後に追加の仮想ＬＢＴフレーム（図示せず）を形成し得る。
【００５２】
[0065]いくつかの例では、各ダウンリンク特殊サブフレーム３１０は、短縮アップリンクサブフレーム３２５と、アクセス手順部分３３０−ａと、ダウンリンクチャネル使用ビーコン信号（Ｄ−ＣＵＢＳ）３３５とを含み得る。短縮アップリンクサブフレーム３２５は、アップリンク送信についてのデータを含み得る。アクセス手順部分３３０−ａは、ＬＢＴ手順のために使用され得る。いくつかの例では、ＬＢＴ手順は、ｅＣＣＡ手順であり得る。Ｄ−ＣＵＢＳ３３５は、成功したアクセス手順に基づいてチャネルがダウンリンク送信のために予約されたという指示を他のＵＥおよび／または装置（たとえば、基地局、Ｗｉ−Ｆｉアクセスポイントなど）に与え得る。
【００５３】
[0066]いくつかの例では、各アップリンク特殊サブフレーム３２０は、ダウンリンクパイロットタイムスロット（ＤｗＰＴＳ）３４０と、アクセス手順部分３３０−ｂと、アップリンクパイロットタイムスロットおよび／またはアップリンクチャネル使用ビーコン信号（ＵｐＰＴＳ／Ｕ−ＣＵＢＳ）３５５とを含み得る。アップリンク特殊サブフレーム３２０のサブ部分は、サイレント期間３４５を含み得る。データは、サイレント期間３４５中に送信されないことがある。いくつかの例では、ｅＣＣＡ手順３５０は、サイレント期間３４５の後にくることがある。ＵｐＰＴＳ／Ｕ−ＣＵＢＳ３５５は、成功したアクセス手順に基づいてチャネルがアップリンク送信のために予約されたという指示を他のＵＥおよび／または装置（たとえば、基地局、Ｗｉ−Ｆｉアクセスポイントなど）に与え得る。
【００５４】
[0067]アクセス手順部分３３０は、調整可能であり得る。アクセス手順部分３３０を調整することは、ｅＣＣＡ手順の継続時間を調整し得る。アクセス手順部分３３０−ａを調整することはまた、Ｄ−ＣＵＢＳ３３５の開始時間と継続時間とを調整し得る。アクセス手順部分３３０−ａを調整することにより、フレーム構造３００を利用する同じ展開のスケジュールされたｅＮＢは、それらのｅＣＣＡ手順およびそれらのＤ−ＣＵＢＳ送信を同期させることが可能になり得る。アクセス手順部分３３０−ｂを調整することはまた、ＵｐＰＴＳ／Ｕ−ＣＵＢＳ３５５の開始時間と継続時間とを調整し得る。アクセス手順部分３３０−ｂを調整することにより、フレーム構造３００を利用する同じ展開のスケジュールされたＵＥは、それらのｅＣＣＡ手順およびそれらのＵ−ＣＵＢＳ送信を再同期させることが可能になり得る。サイレント期間３４５も調整され得る。サイレント期間３４５を調整することは、さらに、ｅＣＣＡ手順３５０の継続時間を調整し得る。
【００５５】
[0068]ＵＥおよび／または基地局は、フレーム構造３００を利用し得る。フレーム構造３００がＵＥおよび基地局によって利用されるとき、ＵＥのためのｅＣＣＡ手順は、基地局のためのｅＣＣＡ手順とは別個で独立していることがある。ＵＥと基地局とは、アクセス手順部分３３０の継続時間を決定する際に同じまたは異なるｑ値を利用し得る。基地局のｑの値は、短縮ダウンリンク最大チャネル占有時間のためにより小さくなり得る。ＵＥのｑの値は、短縮アップリンク最大チャネル占有時間のためにより小さくなり得る。最大チャネル占有時間は、仮想ＬＢＴフレーム３６０中のサブフレームの数によって決定され得る。
【００５６】
[0069]基地局について、Ｎの値は、ＤｗＰＴＳ３４０の後にＬＢＴフレームごとに一度決定され得る。ｅＣＣＡ手順は、ＤｗＰＴＳ３４０の直後に始まり得、次のダウンリンクサブフレーム３１５−ｇまで継続し得る。Ｎの値は、展開中のすべての他の基地局の間で共有され得る。展開中の基地局は、Ｄ−ＣＵＢＳ３３５のそれらの送信を同期させようと試み得る。
【００５７】
[0070]ＵＥについて、Ｎの値は、短縮サブフレーム（Ｕ）３２５の後にＬＢＴフレームごとに一度決定され得る。ｅＣＣＡ手順は、短縮アップリンクサブフレーム３２５の後に始まり得、ＵｐＰＴＳ／Ｕ−ＣＵＢＳ３５５の送信まで継続し得る。Ｎの値は、展開中のすべての他のＵＥの間で共有され得る。展開中のＵＥは、ＵｐＰＴＳ／Ｕ−ＣＵＢＳ３５５のそれらの送信を同期させようと試み得る。
【００５８】
[0071]ｅＣＣＡ手順は、値Ｎをもつカウンタを含み得る。カウンタは、成功したＣＣＡ手順が実行されるたびに減分し得る。Ｄ−ＣＵＢＳ送信を実行すべき境界の前にカウンタが０に達する場合、同期境界においてＤ−ＣＵＢＳ３３５を送信し始めるために、単純なＣＣＡ手順が実行され得る。同様に、Ｕ−ＣＵＢＳ送信を実行すべき境界の前にカウンタが０に達する場合、同期境界においてＵｐＰＴＳ／Ｕ−ＣＵＢＳ３５５を送信し始めるために、単純なＣＣＡ手順が実行され得る。
【００５９】
[0072]Ｄ−ＣＵＢＳおよびＵ−ＣＵＢＳのための境界は、アクセス手順部分３３０によって決定され得る。境界は、ｑの値に少なくとも部分的に基づき得る。基地局のｑの値は、最大ダウンリンク継続時間によって決定され得、ＵＥのｑの値は、最大アップリンク継続時間によって決定され得る。Ｄ−ＣＵＢＳ送信とＵ−ＣＵＢＳ送信とは、少なくとも１つのＯＦＤＭシンボルをそれぞれ含み得る。
【００６０】
[0073]ＵＥのｑの値は、基地局のｑの値と同じであり得る。代替的に、ｑの値は、ＵＥと基地局との間のディファレントをメイする。ＵＥと基地局との両方がフレーム構造３００を利用しているとき、ＵＥと基地局とによって実行されているＬＢＴ手順が時間的に重複し得る。
【００６１】
[0074]１つのチャネルアクセス手法は、最大アップリンクおよびダウンリンク送信継続時間に少なくとも部分的に基づいてｑの値に設定すべきであり得る。たとえば、アップリンクとダウンリンクとの間の分割がほぼ５０／５０である場合、ｅＣＣＡ手順のために約０．２５ｍｓが利用され得る。別のチャネルアクセス手法は、ダウンリンク特殊サブフレーム３１０−ａ中でｅＣＣＡ手順のために約０．５ｍｓを利用すべきであり、アップリンク特殊サブフレーム３２０中でｅＣＣＡ手順のために約０．５ｍｓを利用すべきであり得る。
【００６２】
[0075]ｑの値は、ｑの値を指定するデータベースにアクセスすることによって決定され得る。ｑの値は、次いで、データベースから選択され得る。ｑの値は、ユニキャストまたはブロードキャスト送信を介してＵＥおよび／または基地局に搬送され得る。ｑの値は、たとえば、アップリンクまたはダウンリンク構成の変更があるときに搬送され得る。代替的にまたは追加として、ｑの値は、基地局の適応アルゴリズムの一部として搬送され得る。
【００６３】
[0076]図４に、本開示の様々な態様による、無認可無線周波数スペクトル帯域を介したワイヤレス通信のためのフレーム構造４００の一例を示す。いくつかの例では、無認可無線周波数スペクトル帯域は、無線周波数スペクトル帯域が無認可の用途（たとえば、無認可無線周波数スペクトル帯域におけるＷｉ−Ｆｉ用途および／またはＬＴＥ／ＬＴＥ−Ａ用途）のために少なくとも部分的に利用可能であるので装置がアクセスを求めて競合する必要があり得る無線周波数スペクトル帯域であり得る。
【００６４】
[0077]例として、図４に示すフレーム構造４００は、アップリンクサブフレーム４０５とダウンリンクサブフレーム４１５とを含み得る。フレーム構造は、さらに、ダウンリンク特殊サブフレーム４１０とアップリンク特殊サブフレーム４２０とを含み得る。ダウンリンク特殊サブフレーム４１０は、ダウンリンクサブフレーム４１５の送信の前に発生し得、アップリンク特殊サブフレーム４２０は、アップリンクサブフレーム４０５の送信より前に発生し得る。いくつかの例では、ダウンリンク特殊サブフレーム４１０−ａは、アップリンクサブフレーム４０５−ａの後に、およびダウンリンクサブフレーム４１５−ａ〜４１５−ｆより前に配置され得る。アップリンク特殊サブフレーム４２０は、ダウンリンクサブフレーム４１５−ａ〜４１５−ｆの後に、およびアップリンクサブフレーム４０５−ｂおよび４０５−ｃより前に配置され得る。次のダウンリンク特殊サブフレーム４１０−ｂは、アップリンクサブフレーム４０５−ｃの後にくることがある。次のダウンリンク特殊サブフレーム４１０−ｂの後に、追加のダウンリンクサブフレーム４１５−ｇが続き得る。
【００６５】
[0078]ダウンリンクサブフレーム４１５−ａ〜４１５−ｆと、アップリンク特殊サブフレーム４２０と、アップリンクサブフレーム４０５−ｂおよび４０５−ｃと、ダウンリンク特殊サブフレーム４１０−ｂとは、仮想ＬＢＴフレーム４６０を形成し得る。アップリンクサブフレーム４０５と、ダウンリンク特殊サブフレーム４１０と、ダウンリンクサブフレーム４１５と、アップリンク特殊サブフレーム４２０とは、同様のパターンで継続し得、仮想ＬＢＴフレーム４６０の前および後に追加の仮想ＬＢＴフレーム（図示せず）を形成し得る。
【００６６】
[0079]いくつかの例では、各ダウンリンク特殊サブフレーム４１０は、短縮アップリンクサブフレーム４２５と、アクセス手順部分４３０−ａと、Ｄ−ＣＵＢＳ４３５とを含み得る。短縮アップリンクサブフレーム４２５は、アップリンク送信についてのデータを含み得る。アクセス手順部分４３０−ａは、ＬＢＴ手順のために使用され得る。いくつかの例では、ＬＢＴ手順は、ｅＣＣＡ手順であり得る。Ｄ−ＣＵＢＳ４３５は、成功したアクセス手順に基づいてチャネルがダウンリンク送信のために予約されたという指示を他のＵＥおよび／または装置（たとえば、基地局、Ｗｉ−Ｆｉアクセスポイントなど）に与え得る。
【００６７】
[0080]いくつかの例では、各アップリンク特殊サブフレーム４２０は、ＤｗＰＴＳ４４０と、サイレント期間４４５と、ＵｐＰＴＳ／Ｕ−ＣＵＢＳ４５５とを含み得る。データは、サイレント期間中に送信されないことがある。ＵｐＰＴＳ／Ｕ−ＣＵＢＳ４５５は、チャネルがアップリンク送信のために予約されたという指示を他のＵＥおよび／または装置（たとえば、基地局、Ｗｉ−Ｆｉアクセスポイントなど）に与え得る。
【００６８】
[0081]アクセス手順部分４３０は、調整可能であり得る。アクセス手順部分４３０−ａを調整することは、ｅＣＣＡ手順の継続時間を調整し得る。アクセス手順部分４３０−ａを調整することはまた、Ｄ−ＣＵＢＳ４３５の開始時間と継続時間とを調整し得る。アクセス手順部分４３０−ａを調整することにより、フレーム構造４００を利用する同じ展開のｅＮＢは、それらのｅＣＣＡ手順およびそれらのＤ−ＣＵＢＳ送信を同期させることが可能になり得る。
【００６９】
[0082]図５に、本開示の様々な態様による、無認可無線周波数スペクトル帯域を介したワイヤレス通信のためのフレーム構造５００の一例を示す。いくつかの例では、無認可無線周波数スペクトル帯域は、無線周波数スペクトル帯域が無認可の用途（たとえば、無認可無線周波数スペクトル帯域におけるＷｉ−Ｆｉ用途および／またはＬＴＥ／ＬＴＥ−Ａ用途）のために少なくとも部分的に利用可能であるので装置がアクセスを求めて競合する必要があり得る無線周波数スペクトル帯域であり得る。
【００７０】
[0083]例として、図５に示すフレーム構造５００は、アップリンクサブフレーム５０５とダウンリンクサブフレーム５１５とを含み得る。フレーム構造は、さらに、ダウンリンク特殊サブフレーム５１０とアップリンク特殊サブフレーム５２０とを含み得る。ダウンリンク特殊サブフレーム５１０は、ダウンリンクサブフレーム５１５の送信の前に発生し得、アップリンク特殊サブフレーム５２０は、アップリンクサブフレーム５０５の送信より前に発生し得る。フレーム構造５００はまた、失敗したｅＣＣＡサブフレーム５６５−ａ〜５６５−ｅを含み得る。失敗したｅＣＣＡサブフレーム５６５は、失敗したｅＣＣＡ手順５７０のために、送信のために使用されないことがある。失敗したｅＣＣＡ手順５７０は、ビジーチャネルによって生じ得る。いくつかの例では、ダウンリンク特殊サブフレーム５１０−ａは、失敗したｅＣＣＡ手順５７０の終わりに配置され得る。ダウンリンクサブフレーム５１５−ａおよび５１５−ｂは、ダウンリンク特殊サブフレーム５１０−ａの後にくることがある。アップリンク特殊サブフレーム５２０は、ダウンリンクサブフレーム５１５−ａおよび５１５−ｂの後に、およびアップリンクサブフレーム５０５−ａおよび５０５−ｂより前に配置され得る。次のダウンリンク特殊サブフレーム５１０−ｂは、アップリンクサブフレーム５０５−ｂの後にくることがある。次のダウンリンク特殊サブフレーム５１０−ｂの後に、追加のダウンリンクサブフレーム５１５−ｃが続き得る。
【００７１】
[0084]失敗したｅＣＣＡサブフレーム５６５−ｃ〜５６５−ｅと、ダウンリンクサブフレーム５１５−ａおよび５１５−ｂと、アップリンク特殊サブフレーム５２０と、アップリンクサブフレーム５０５−ａおよび５０５−ｂと、ダウンリンク特殊サブフレーム５１０−ａおよび５１０−ｂとは、仮想ＬＢＴフレーム５６０を形成し得る。チャネルが空いているとき、アップリンクサブフレーム５０５と、ダウンリンク特殊サブフレーム５１０と、ダウンリンクサブフレーム５１５と、アップリンク特殊サブフレーム５２０とは、図３および／または図４に示した仮想ＬＢＴフレーム３６０および／または４６０に示したのと同様のパターンを使用して、仮想ＬＢＴフレーム５６０の前および後に追加の仮想ＬＢＴフレーム（図示せず）を形成し得る。
【００７２】
[0085]いくつかの例では、ダウンリンク特殊サブフレーム５１０−ａは、失敗したｅＣＣＡ手順５７０と、アクセス手順部分５３０−ａと、Ｄ−ＣＵＢＳ５３５とを含み得る。失敗したｅＣＣＡ手順５７０中に、ＣＣＡ手順は、連続的に実行され得る。アクセス手順部分５３０−ａは、成功したＣＣＡ手順の発生時に始まり得る。いくつかの例では、アクセス手順部分５３０−ａは、ｅＣＣＡ手順を含み得る。Ｄ−ＣＵＢＳ５３５は、成功したアクセス手順に基づいてチャネルがダウンリンク送信のために予約されたという指示を他のＵＥおよび／または装置（たとえば、基地局、Ｗｉ−Ｆｉアクセスポイントなど）に与え得る。Ｄ−ＣＵＢＳ５３５−ａは、次のサブフレームの開始まで送信され得る。仮想ＬＢＴフレーム５６０メイの残りのダウンリンクサブフレーム５１５−ａおよび５１５−ｂは、Ｄ−ＣＵＢＳ５３５−ａの後に送信された。アクセス手順部分５３０−ａおよびＤ−ＣＵＢＳ５３５−ａのｅＣＣＡ手順は、失敗したｅＣＣＡ手順５７０によって生じた遅延のために他のＵＥまたは基地局と同期されないことがある。
【００７３】
[0086]いくつかの例では、アップリンク特殊サブフレーム５２０は、図３および／または図４を参照して説明したアップリンク特殊サブフレーム３２０および／または４２０の一例であり得る。ダウンリンク特殊サブフレーム５１０−ｂは、図３および／または図４を参照して説明したダウンリンク特殊サブフレーム３１０および／または４１０の一例であり得る。
【００７４】
[0087]ダウンリンク特殊サブフレーム５１０−ｂのアクセス手順部分５３０−ｂは、調整可能であり得る。アクセス手順部分５３０−ｂを調整することは、ｅＣＣＡ手順とＤ−ＣＵＢＳ５３５−ｂとの継続時間を調整し得る。アクセス手順部分５３０−ｂを調整することにより、同じ展開のＵＥおよび／または基地局は、それらのｅＣＣＡ手順およびそれらのＤ−ＣＵＢＳ送信を再同期させることが可能になり得る。
【００７５】
[0088]図６に、本開示の様々な態様による、無認可無線周波数スペクトル帯域を介したワイヤレス通信のためのフレーム構造６００の一例を示す。いくつかの例では、無認可無線周波数スペクトル帯域は、無線周波数スペクトル帯域が無認可の用途（たとえば、無認可無線周波数スペクトル帯域におけるＷｉ−Ｆｉ用途および／またはＬＴＥ／ＬＴＥ−Ａ用途）のために少なくとも部分的に利用可能であるので装置がアクセスを求めて競合する必要があり得る無線周波数スペクトル帯域であり得る。
【００７６】
[0089]例として、図６に示すフレーム構造６００は、アップリンクサブフレーム６０５とダウンリンクサブフレーム６１５とを含み得る。フレーム構造は、さらに、ダウンリンク特殊サブフレーム６１０とアップリンク特殊サブフレーム６２０とを含み得る。ダウンリンク特殊サブフレーム６１０は、ダウンリンクサブフレーム６１５の送信の前に発生し得、アップリンク特殊サブフレーム６２０は、アップリンクサブフレーム６０５の送信より前に発生し得る。フレーム構造６００はまた、失敗したｅＣＣＡサブフレーム６６５−ａ〜６６５−ｄを含み得る。失敗したｅＣＣＡサブフレーム６６５は、失敗したｅＣＣＡ手順６７０のために、送信のために使用されないことがある。失敗したｅＣＣＡサブフレーム６６５の各々は、失敗したｅＣＣＡ手順６７０を含み得る。失敗したｅＣＣＡ手順６７０は、ビジーチャネルによって生じ得る。いくつかの例では、ダウンリンク特殊サブフレーム６１０−ａは、失敗したｅＣＣＡ手順６７０の終わりに配置され得る。ダウンリンク特殊サブフレーム６１０−ａは、図５を参照して説明したダウンリンク特殊サブフレーム５１０−ａの一例であり得る。ダウンリンクサブフレーム６１５−ａおよび６１５−ｂは、ダウンリンク特殊サブフレーム６１０−ａの後にくることがある。アップリンク特殊サブフレーム６２０は、ダウンリンクサブフレーム６１５−ａおよび６１５−ｂの後に、ならびにアップリンクサブフレーム６０５−ａおよび６０５−ｂより前に配置され得る。アップリンク特殊サブフレーム６２０は、図３および／または図４を参照して説明したアップリンク特殊サブフレーム３２０および／または４２０の一例であり得る。次のダウンリンク特殊サブフレーム６１０−ｂおよび第３のダウンリンク特殊サブフレーム６１０−ｃは、アップリンクサブフレーム６０５−ｂの後にくることがある。第３のダウンリンク特殊サブフレーム６１０−ｃの後に、追加のダウンリンクサブフレーム６１５−ｃが続き得る。
【００７７】
[0090]失敗したｅＣＣＡサブフレーム６６５−ｂ〜６６５−ｄと、ダウンリンクサブフレーム６１５−ａおよび６１５−ｂと、アップリンク特殊サブフレーム６２０と、アップリンクサブフレーム６０５−ａおよび６０５−ｂと、ダウンリンク特殊サブフレーム６１０−ａおよび６１０−ｂとは、仮想ＬＢＴフレーム６６０を形成し得る。チャネルが空いているとき、アップリンクサブフレーム６０５と、ダウンリンク特殊サブフレーム６１０と、ダウンリンクサブフレーム６１５と、アップリンク特殊サブフレーム６２０とは、図３および／または図４に示した仮想ＬＢＴフレーム３６０および／または４６０に示したのと同様のパターンを使用して、仮想ＬＢＴフレーム６６０の前および後に追加の仮想ＬＢＴフレーム（図示せず）を形成し得る。
【００７８】
[0091]いくつかの例では、ダウンリンク特殊サブフレーム６１０−ｂは、短縮アップリンクサブフレーム６２５と、アクセス手順部分６３０の始端とを含み得る。アクセス手順が不成功の場合、アクセス手順部分６３０は、第３のダウンリンク特殊サブフレーム６１０−ｃの中に継続し得る。第３のダウンリンク特殊サブフレーム６１０−ｃは、アクセス手順部分６３０の終わりにＤ−ＣＵＢＳ６３５を含み得る。アクセス手順部分６３０は、ＬＢＴ手順を含み得る。いくつかの例では、ＬＢＴ手順は、ｅＣＣＡ手順であり得る。Ｄ−ＣＵＢＳ６３５は、成功したアクセス手順に基づいてチャネルがダウンリンク送信のために予約されたという指示を他のＵＥおよび／または装置（たとえば、基地局、Ｗｉ−Ｆｉアクセスポイントなど）に与え得る。
【００７９】
[0092]図７に、本開示の様々な態様による、無認可無線周波数スペクトル帯域を介したワイヤレス通信のためのフレーム構造７００の一例を示す。いくつかの例では、無認可無線周波数スペクトル帯域は、無線周波数スペクトル帯域が無認可の用途（たとえば、無認可無線周波数スペクトル帯域におけるＷｉ−Ｆｉ用途および／またはＬＴＥ／ＬＴＥ−Ａ用途）のために少なくとも部分的に利用可能であるので装置がアクセスを求めて競合する必要があり得る無線周波数スペクトル帯域であり得る。
【００８０】
[0093]例として、図７に示すフレーム構造７００は、ダウンリンクサブフレーム７１５を含み得る。フレーム構造は、さらに、ダウンリンク特殊サブフレーム７１０を含み得る。ダウンリンク特殊サブフレーム７１０は、ダウンリンクサブフレーム７１５の送信の前に発生し得る。フレーム構造７００はまた、失敗したｅＣＣＡサブフレーム７６５−ａ〜７６５−ｉを含み得る。失敗したｅＣＣＡサブフレーム７６５は、失敗したｅＣＣＡ手順７７０のために、送信のために使用されないことがある。失敗したｅＣＣＡサブフレーム７６５の各々は、失敗したｅＣＣＡ手順７７０を含み得る。失敗したｅＣＣＡ手順７７０は、ビジーチャネルによって生じ得る。いくつかの例では、ダウンリンク特殊サブフレーム７１０−ａは、失敗したｅＣＣＡ手順７７０の終わりに配置され得る。次のダウンリンク特殊サブフレーム７１０−ｂは、ダウンリンク特殊サブフレーム７１０−ａの後にくることがある。ダウンリンクサブフレーム７１５−ａおよび７１５−ｂは、ダウンリンク特殊サブフレーム７１０−ａの後にくることがある。
【００８１】
[0094]失敗したｅＣＣＡサブフレーム７６５−ｂ〜７６５−ｉとダウンリンク特殊サブフレーム７１０−ａおよび７１０−ｂとは、仮想ＬＢＴフレーム７６０を形成し得る。チャネルが空いているとき、アップリンクサブフレーム（図示せず）と、ダウンリンク特殊サブフレーム７１０と、ダウンリンクサブフレーム７１５と、アップリンク特殊サブフレーム（図示せず）とは、図３および／または図４に示した仮想ＬＢＴフレーム３６０および／または４６０に示したのと同様のパターンを使用して、仮想ＬＢＴフレーム７６０の前および後に追加の仮想ＬＢＴフレーム（図示せず）を形成し得る。
【００８２】
[0095]いくつかの例では、ダウンリンク特殊サブフレーム７１０−ａは、失敗したｅＣＣＡ手順７７０と、アクセス手順部分７３０の始端とを含み得る。ダウンリンク特殊サブフレーム７１０−ｂは、さらに、アクセス手順部分７３０の終わりにＤ−ＣＵＢＳ７３５を含み得る。失敗したｅＣＣＡ手順７７０中に、ＣＣＡ手順は、連続的に実行され得る。アクセス手順部分７３０は、成功したＣＣＡ手順の発生時に始まり得る。いくつかの例では、アクセス手順部分７３０は、ｅＣＣＡ手順７５０を含み得る。ダウンリンク特殊サブフレーム７１０−ｂは、さらに、サイレント期間７４５と単純なＣＣＡ手順７７５とを含み得る。Ｄ−ＣＵＢＳ７３５は、成功したアクセス手順に基づいてチャネルがダウンリンク送信のために予約されたという指示を他のＵＥおよび／または装置（たとえば、基地局、Ｗｉ−Ｆｉアクセスポイントなど）に与え得る。
【００８３】
[0096]ｅＣＣＡ手順７５０は、値Ｎをもつカウンタを含み得る。カウンタは、ＣＣＡ手順が実行されるたびに減分し得る。Ｄ−ＣＵＢＳ送信を実行すべき境界の前にカウンタが０に達する場合、単純なＣＣＡ手順７７５が、Ｄ−ＣＵＢＳ送信のための次の境界の前に実行され得る。ｅＣＣＡ手順７５０と単純なＣＣＡ手順７７５との間の間隔は、サイレント期間７４５で充填され得る。サイレント期間７４５は、アクセス手順を実行する他のＵＥおよび／または基地局に対する干渉を低減し得る。
【００８４】
[0097]図８は、本開示の様々な態様による、ワイヤレス通信において使用するための装置８０５のブロック図８００を示す。いくつかの例では、装置８０５は、図１および／または図２を参照して説明した基地局１０５、基地局２０５、基地局２０５−ａ、ＵＥ１１５、ＵＥ２１５、ＵＥ２１５−ａ、ＵＥ２１５−ｂ、および／またはＵＥ２１５−ｃのうちの１つまたは複数の態様の一例であり得る。いくつかの例では、装置８０５は、ＬＴＥ／ＬＴＥ−Ａ  ｅＮＢおよび／またはＬＴＥ／ＬＴＥ−Ａ基地局の一部であるか、またはそれを含み得る。装置８０５はまた、プロセッサであり得る。いくつかの例では、装置８０５は、送信機または送信機装置と呼ばれることがある。装置８０５は、受信機モジュール８１０、ワイヤレス通信管理モジュール８２０、および／または送信機モジュール８３０を含み得る。これらの構成要素の各々は互いに通信していることがある。
【００８５】
[0098]装置８０５の構成要素は、ハードウェアにおいて適用可能な機能の一部または全部を実施するように適応された１つまたは複数の特定用途向け集積回路（ＡＳＩＣ）を使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【００８６】
[0099]いくつかの例では、受信機モジュール８１０は、認可無線周波数スペクトル帯域（たとえば、無線周波数スペクトル帯域が特定の用途のために特定のユーザ（たとえば、ＬＴＥ／ＬＴＥ−Ａユーザ）に認可されているので、装置がアクセスを求めて競合しない無線周波数スペクトル帯域）、ならびに／あるいは無認可無線周波数スペクトル帯域（たとえば、無線周波数スペクトル帯域が無認可の用途（たとえば、無認可無線周波数スペクトル帯域におけるＷｉ−Ｆｉ用途および／またはＬＴＥ／ＬＴＥ−Ａ用途）のために少なくとも部分的に利用可能であるので、装置がアクセスを求めて競合する必要があり得る無線周波数スペクトル帯域）を介して送信を受信するように動作可能な少なくとも１つの無線周波数（ＲＦ）受信機など、少なくとも１つのＲＦ受信機を含み得る。いくつかの例では、認可無線周波数スペクトル帯域および／または無認可無線周波数スペクトル帯域は、たとえば、図１〜図７を参照して説明したように、ＬＴＥ／ＬＴＥ−Ａ通信のために使用され得る。受信機モジュール８１０は、図１および／または図２を参照して説明したワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【００８７】
[0100]いくつかの例では、送信機モジュール８３０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール８３０は、図１および／または図２を参照して説明したワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【００８８】
[0101]いくつかの例では、ワイヤレス通信管理モジュール８２０は、他の装置とのワイヤレス通信の様々な態様を管理するために使用され得、フレーム構造モジュール８４０および／またはアクセス手順モジュール８４５を含み得る。
【００８９】
[0102]いくつかの例では、フレーム構造モジュール８４０は、無認可周波数スペクトル帯域を介して通信するために使用すべき装置８０５のためのフレーム構造を決定するために使用され得る。フレーム構造は、調整可能なアクセス手順部分をもつ特殊サブフレームを含み得る。いくつかの例では、アクセス手順モジュール８４５は、特殊サブフレームのアクセス手順部分を調整し、アクセス手順を実行するために使用され得る。アクセス手順は、ｅＣＣＡ手順などのＬＢＴ手順を含み得る。
【００９０】
[0103]図９に、本開示の様々な態様による、ワイヤレス通信において使用するための装置９０５のブロック図９００を示す。いくつかの例では、装置９０５は、図１および／または図２を参照して説明した基地局１０５、基地局２０５、基地局２０５−ａ、ＵＥ１１５、ＵＥ２１５、ＵＥ２１５−ａ、ＵＥ２１５−ｂ、および／またはＵＥ２１５−ｃのうちの１つまたは複数の態様の一例であり、ならびに／あるいは図８を参照して説明した装置８０５の態様の一例であり得る。いくつかの例では、装置９０５は、ＬＴＥ／ＬＴＥ−Ａ  ｅＮＢおよび／またはＬＴＥ／ＬＴＥ−Ａ基地局の一部であるか、またはそれを含み得る。装置９０５はまたプロセッサであり得る。いくつかの例では、装置９０５は、送信機または送信機装置と呼ばれることがある。装置９０５は、受信機モジュール９１０、ワイヤレス通信管理モジュール９２０、および／または送信機モジュール９３０を含み得る。これらの構成要素の各々は互いに通信していることがある。
【００９１】
[0104]装置９０５の構成要素は、ハードウェアにおいて適用可能な機能の一部または全部を実施するように適応された１つまたは複数の特定用途向け集積回路（ＡＳＩＣ）を使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【００９２】
[0105]いくつかの例では、受信機モジュール９１０は、図８を参照して説明した受信機モジュール８１０の１つまたは複数の態様の一例であり得る。いくつかの例では、受信機モジュール９１０は、認可無線周波数スペクトル帯域（たとえば、無線周波数スペクトル帯域が特定の用途のために特定のユーザ（たとえば、ＬＴＥ／ＬＴＥ−Ａユーザ）に認可されているので、装置がアクセスを求めて競合しない無線周波数スペクトル帯域）、ならびに／あるいは無認可無線周波数スペクトル帯域（たとえば、無線周波数スペクトル帯域が無認可の用途（たとえば、無認可無線周波数スペクトル帯域におけるＷｉ−Ｆｉ用途および／またはＬＴＥ／ＬＴＥ−Ａ用途）のために少なくとも部分的に利用可能であるので、装置がアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１〜図７を参照して説明したように、ＬＴＥ／ＬＴＥ−Ａ通信のために使用され得る。受信機モジュール９１０は、図１および／または図２を参照して説明したワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【００９３】
[0106]いくつかの例では、送信機モジュール９３０は、図８を参照して説明した送信機モジュール８３０の１つまたは複数の態様の一例であり得る。いくつかの例では、送信機モジュール９３０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール９３０は、図１および／または図２を参照して説明したワイヤレス通信システム１００および／または２００の１つまたは複数の通信リンクなど、ワイヤレス通信システムの１つまたは複数の通信リンクを介して様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【００９４】
[0107]いくつかの例では、ワイヤレス通信管理モジュール９２０は、図８を参照して説明したワイヤレス通信管理モジュール８２０の１つまたは複数の態様の一例であり得る。ワイヤレス通信管理モジュール９２０は、フレーム構造モジュール９４０および／またはアクセス手順モジュール９４５を含み得る。
【００９５】
[0108]いくつかの例では、フレーム構造モジュール９４０は、図８を参照して説明したフレーム構造モジュール８４０の１つまたは複数の態様の一例であり得る。いくつかの例では、フレーム構造モジュール９４０は、フレーム構造の特殊サブフレームを決定するために使用される特殊サブフレームモジュール９５０を含み得る。特殊サブフレームは、アクセス手順部分を含み得る。
【００９６】
[0109]いくつかの例では、アクセス手順モジュール９４５は、図８を参照して説明したアクセス手順モジュール８４５の１つまたは複数の態様の一例であり得る。いくつかの例では、アクセス手順モジュール９４５は、リッスンビフォアトークモジュール９５５を含み得る。リッスンビフォアトークモジュール９５５は、特殊サブフレームのアクセス手順部分のうちの１つまたは複数中にリッスンビフォアトーク手順を実行し得る。リッスンビフォアトーク手順は、ｅＣＣＡ手順を含み得る。
【００９７】
[0110]図１０は、本開示の様々な態様による、ワイヤレス通信において使用するための装置１００５のブロック図１０００を示す。いくつかの例では、装置１００５は、図１および／または図２を参照して説明した基地局１０５、基地局２０５、基地局２０５−ａ、ＵＥ１１５、ＵＥ２１５、ＵＥ２１５−ａ、ＵＥ２１５−ｂ、および／またはＵＥ２１５−ｃのうちの１つまたは複数の態様の一例であり、ならびに／あるいは図８および／または図９を参照して説明した装置８０５および／または９０５の態様の一例であり得る。いくつかの例では、装置１００５は、ＬＴＥ／ＬＴＥ−Ａ  ｅＮＢおよび／またはＬＴＥ／ＬＴＥ−Ａ基地局の一部であるか、またはそれを含み得る。装置１００５はまたプロセッサであり得る。いくつかの例では、装置１００５は、送信機または送信機装置と呼ばれることがある。装置１００５は、受信機モジュール１０１０、ワイヤレス通信管理モジュール１０２０、および／または送信機モジュール１０３０を含み得る。これらの構成要素の各々は互いに通信していることがある。
【００９８】
[0111]装置１００５の構成要素は、ハードウェアにおいて適用可能な機能の一部または全部を実施するように適応された１つまたは複数の特定用途向け集積回路（ＡＳＩＣ）を使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【００９９】
[0112]いくつかの例では、受信機モジュール１０１０は、図９を参照して説明した受信機モジュール９１０の１つまたは複数の態様の一例であり得る。いくつかの例では、受信機モジュール１０１０は、認可無線周波数スペクトル帯域（たとえば、無線周波数スペクトル帯域が特定の使用のために特定のユーザ（たとえば、ＬＴＥ／ＬＴＥ−Ａユーザ）に認可されているので、装置がそれのためにアクセスを求めて競合しない無線周波数スペクトル帯域）、ならびに／あるいは無認可無線周波数スペクトル帯域（たとえば、無線周波数スペクトル帯域が少なくとも部分的に無認可使用（たとえば、無認可無線周波数スペクトル帯域におけるＷｉ−Ｆｉ使用および／またはＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つの無線周波数（ＲＦ）受信機を含み得る。いくつかの例では、認可無線周波数スペクトル帯域および／または無認可無線周波数スペクトル帯域は、たとえば、図１〜図７を参照して説明したように、ＬＴＥ／ＬＴＥ−Ａ通信のために使用され得る。受信機モジュール１０１０は、場合によっては、認可無線周波数スペクトル帯域と無認可無線周波数スペクトル帯域とのための別個の受信機を含み得る。別個の受信機は、いくつかの例では、認可無線周波数スペクトル帯域を介して通信するための認可ＲＦスペクトル帯域ＬＴＥ／ＬＴＥ−Ａ受信機モジュール１０１２、および無認可無線周波数スペクトル帯域を介して通信するための無認可ＲＦスペクトル帯域ＬＴＥ／ＬＴＥ−Ａ受信機モジュール１０１４の形態をとり得る。受信機モジュール１０１０はまた、装置１００５を他の装置に（たとえば、第２のＬＴＥ／ＬＴＥ−Ａ  ｅＮＢおよび／または第２のＬＴＥ／ＬＴＥ−Ａ基地局などの第２の送信機に）接続するワイヤードまたはワイヤレスバックホールを介して通信するためのバックホール受信機モジュール１０１６を含み得る。受信機モジュール１０１０はまた、他の無線周波数スペクトル帯域を介して通信するための、および／または他の無線アクセス技術（たとえば、Ｗｉ−Ｆｉ）を介して通信するための受信機モジュールを含み得る。認可ＲＦスペクトル帯域ＬＴＥ／ＬＴＥ−Ａ受信機モジュール１０１２、無認可ＲＦスペクトル帯域ＬＴＥ／ＬＴＥ−Ａ受信機モジュール１０１４、および／またはバックホール受信機モジュール１０１６を含む受信機モジュール１０１０は、図１および／または図２を参照して説明したワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１００】
[0113]いくつかの例では、送信機モジュール１０３０は、図９を参照して説明した送信機モジュール９３０の１つまたは複数の態様の一例であり得る。いくつかの例では、送信機モジュール１０３０は、認可無線周波数スペクトル帯域および／または無認可無線周波数スペクトル帯域を介して送信するように動作可能な少なくとも１つのＲＦ送信機などの少なくとも１つのＲＦ送信機を含み得る。送信機モジュール１０３０は、場合によっては、認可無線周波数スペクトル帯域と無認可無線周波数スペクトル帯域とのための別個の送信機を含み得る。別個の送信機は、いくつかの例では、認可無線周波数スペクトル帯域を介して通信するための認可ＲＦスペクトル帯域ＬＴＥ／ＬＴＥ−Ａ送信機モジュール１０３２、および無認可無線周波数スペクトル帯域を介して通信するための無認可ＲＦスペクトル帯域ＬＴＥ／ＬＴＥ−Ａ送信機モジュール１０３４の形態をとり得る。送信機モジュール１０３０はまた、装置１００５を他の装置に接続するワイヤードまたはワイヤレスバックホールを介して通信するためのバックホール送信機モジュール１０３６を含み得る。認可ＲＦスペクトル帯域ＬＴＥ／ＬＴＥ−Ａ送信機モジュール１０３２、無認可ＲＦスペクトル帯域ＬＴＥ／ＬＴＥ−Ａ送信機モジュール１０３４、および／またはバックホール送信機モジュール１０３６を含む送信機モジュール１０３０は、図１および／または図２を参照して説明したワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１０１】
[0114]いくつかの例では、ワイヤレス通信管理モジュール１０２０は、図９を参照して説明したワイヤレス通信管理モジュール９２０の１つまたは複数の態様の一例であり得る。ワイヤレス通信管理モジュール１０２０は、フレーム構造モジュール１０４０および／またはアクセス手順モジュール１０４５を含み得る。
【０１０２】
[0115]いくつかの例では、フレーム構造モジュール１０４０は、図９を参照して説明したフレーム構造モジュール９４０の１つまたは複数の態様の一例であり得る。フレーム構造モジュール１０４０は、特殊サブフレームモジュール１０５０を含み得る。特殊サブフレームモジュール１０５０は、図９を参照して説明した特殊サブフレームモジュール９５０の１つまたは複数の態様の一例であり得る。フレーム構造モジュール１０４０と特殊サブフレームモジュール１０５０とは、無認可周波数スペクトル帯域を介して通信するために使用すべき装置１００５のためのフレーム構造を決定するために使用され得る。フレーム構造は、特殊サブフレームモジュール１０５０によって決定される特殊サブフレームを含み得る。特殊サブフレームは、アクセス手順部分を含み得る。
【０１０３】
[0116]いくつかの例では、アクセス手順モジュール１０４５は、図９を参照して説明したアクセス手順モジュール９４５の１つまたは複数の態様の一例であり得る。アクセス手順モジュール１０４５は、リッスンビフォアトークモジュール１０５５を含み得る。リッスンビフォアトークモジュール１０５５は、図９を参照して説明したリッスンビフォアトークモジュール９５５の１つまたは複数の態様の一例であり得る。リッスンビフォアトークモジュール１０５５は、さらに、ｅＣＣＡモジュール１０６０を含み得る。ｅＣＣＡモジュール１０６０は、特殊サブフレームのアクセス手順部分のうちの１つまたは複数中にｅＣＣＡ手順を実行するために使用され得る。
【０１０４】
[0117]いくつかの例では、さらに、ワイヤレス通信管理モジュール１０２０は、チャネル使用ビーコン信号（ＣＵＢＳ）モジュール１０６５を含み得る。ＣＵＢＳモジュール１０６５は、ｅＣＣＡモジュール１０６０によってｅＣＣＡ手順が実行された後に送信すべきＣＵＢＳ送信を決定し得る。ＣＵＢＳ送信は、Ｄ−ＣＵＢＳまたはＵ−ＣＵＢＳ送信であり得る。
【０１０５】
[0118]図１１に、本開示の様々な態様による、ワイヤレス通信において使用するための基地局１１０５（たとえば、ｅＮＢの一部または全部を形成する基地局）のブロック図１１００を示す。いくつかの例では、基地局１１０５は、図１および／または図２を参照して説明した基地局１０５、２０５、および／または２０５−ａの１つまたは複数の態様、ならびに／あるいは、図８、図９、および／または図１０を参照して説明した、基地局として構成されるときの装置８０５、９０５、および／または１００５の１つまたは複数の態様の例であり得る。基地局１１０５は、図１〜図１０を参照して説明した基地局および／または装置の特徴および機能の少なくともいくつかを実装または可能にするように構成され得る。
【０１０６】
[0119]基地局１１０５は、基地局プロセッサモジュール１１１０、基地局メモリモジュール１１２０、（基地局トランシーバモジュール１１５０によって表される）少なくとも１つの基地局トランシーバモジュール、（基地局アンテナ１１５５によって表される）少なくとも１つの基地局アンテナ、および／または基地局ワイヤレス通信管理モジュール１１６０を含み得る。基地局１１０５はまた、基地局通信モジュール１１３０および／またはネットワーク通信モジュール１１４０のうちの１つまたは複数を含み得る。これらの構成要素の各々は、１つまたは複数のバス１１３５を介して直接または間接的に互いに通信していることがある。
【０１０７】
[0120]基地局メモリモジュール１１２０は、ランダムアクセスメモリ（ＲＡＭ）および／または読取り専用メモリ（ＲＯＭ）を含み得る。基地局メモリモジュール１１２０は、実行されたとき、ワイヤレス通信に関係する本明細書で説明する様々な機能（たとえば、ＬＢＴ−ＬＴＥプロトコルを使用するときの競合アクセスプロトコルタイミングの識別および整合に関する機能など）を基地局プロセッサモジュール１１１０に実行させるように構成された命令を含んでいるコンピュータ可読、コンピュータ実行可能コード１１２５を記憶し得る。代替的に、コード１１２５は、基地局プロセッサモジュール１１１０によって直接的に実行可能でないことがあるが、（たとえば、コンパイルされ実行されたとき）本明細書で説明する様々な機能を基地局１１０５に実施させるように構成され得る。
【０１０８】
[0121]基地局プロセッサモジュール１１１０は、インテリジェントハードウェアデバイス、たとえば、中央処理ユニット（ＣＰＵ）、マイクロコントローラ、ＡＳＩＣなどを含み得る。基地局プロセッサモジュール１１１０は、基地局トランシーバモジュール１１５０、基地局通信モジュール１１３０、および／またはネットワーク通信モジュール１１４０を通して受信された情報を処理し得る。基地局プロセッサモジュール１１１０はまた、アンテナ１１５５を通じた送信のためにトランシーバモジュール１１５０に、１つまたは複数の他の基地局１１０５−ａおよび１１０５−ｂへの送信のために基地局通信モジュール１１３０に、ならびに／または図１を参照して説明したコアネットワーク１３０の１つまたは複数の態様の一例であり得るコアネットワーク１１４５への送信のためにネットワーク通信モジュール１１４０に送られるべき情報を処理し得る。基地局プロセッサモジュール１１１０は、単独でまたは基地局ワイヤレス通信管理モジュール１１６０とともに、認可無線周波数スペクトル帯域（たとえば、ＬＴＥ／ＬＴＥ−Ａ通信のために使用可能な認可無線周波数スペクトル帯域など、無線周波数スペクトル帯域が特定の用途のために特定のユーザに認可されているので、装置がアクセスを求めて競合しない無線周波数スペクトル帯域）、ならびに／あるいは無認可無線周波数スペクトル帯域（たとえば、無線周波数スペクトル帯域が無認可無線周波数スペクトル帯域におけるＷｉ−Ｆｉ用途および／またはＬＴＥ／ＬＴＥ−Ａ用途などの無認可の用途のために少なくとも部分的に利用可能であるので、装置がアクセスを求めて競合する必要があり得る無線周波数スペクトル帯域）を含むワイヤレス通信媒体を介して通信すること（またはそれを介した通信を管理すること）の様々な態様を扱い得る。
【０１０９】
[0122]基地局トランシーバモジュール１１５０は、パケットを変調し、変調されたパケットを送信のために基地局アンテナ１１５５に提供し、基地局アンテナ１１５５から受信されたパケットを復調するように構成されたモデムを含み得る。基地局トランシーバモジュール１１５０は、いくつかの例では、１つまたは複数の基地局送信機モジュールおよび１つまたは複数の別個の基地局受信機モジュールとして実装され得る。基地局トランシーバモジュール１１５０は、認可無線周波数スペクトル帯域および／または無認可無線周波数スペクトル帯域における通信をサポートし得る。基地局トランシーバモジュール１１５０は、図１および／または図２を参照して説明したＵＥ１１５、２１５、２１５−ａ、２１５−ｂ、および／または２１５−ｃのうちの１つまたは複数など、１つまたは複数のＵＥまたは装置と、アンテナ１１５５を介して双方向に通信するように構成され得る。基地局１１０５は、たとえば、複数の基地局アンテナ１１５５（たとえば、アンテナアレイ）を含み得る。基地局１１０５は、ネットワーク通信モジュール１１４０を通じてコアネットワーク１１４５と通信し得る。基地局１１０５はまた、基地局通信モジュール１１３０を使用して、基地局１１０５−ａおよび１１０５−ｂなどの他の基地局と通信し得る。
【０１１０】
[0123]基地局ワイヤレス通信管理モジュール１１６０は、ワイヤレス通信に関する図１〜図１０を参照して説明した特徴および／または機能（たとえば、無認可無線周波数スペクトル帯域を介して通信するためのフレーム構造を決定することに関する機能など）の一部または全部を実行および／または制御するように構成され得る。いくつかの例では、基地局ワイヤレス通信管理モジュール１１６０は、認可無線周波数スペクトル帯域および／または無認可無線周波数スペクトル帯域を使用して補足ダウンリンクモード、キャリアアグリゲーションモード、および／またはスタンドアロンモードをサポートするように構成され得る。基地局ワイヤレス通信管理モジュール１１６０は、認可無線周波数スペクトル帯域におけるＬＴＥ／ＬＴＥ−Ａ通信を扱うように構成された基地局ＬＴＥ／ＬＴＥ−Ａ認可ＲＦスペクトル帯域モジュール１１６５と、無認可無線周波数スペクトル帯域におけるＬＴＥ／ＬＴＥ−Ａ通信を扱うように構成された基地局ＬＴＥ／ＬＴＥ−Ａ無認可ＲＦスペクトル帯域モジュール１１７０とを含み得る。基地局ワイヤレス通信管理モジュール１１６０またはそれの一部は、プロセッサを含み得、ならびに／または、基地局ワイヤレス通信管理モジュール１１６０の機能の一部または全部は、基地局プロセッサモジュール１１１０によって、および／または基地局プロセッサモジュール１１１０に関連して実施され得る。いくつかの例では、基地局ワイヤレス通信管理モジュール１１６０は、図８、図９、および／または図１０を参照して説明したワイヤレス通信管理モジュール８２０、９２０、および／または１０２０の一例であり得る。
【０１１１】
[0124]図１２は、本開示の様々な態様による、ワイヤレス通信において使用するためのＵＥ１２１５のブロック図１２００を示す。ＵＥ１２１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどに含まれ得る、またはそれらの一部であり得る。ＵＥ１２１５は、いくつかの例では、モバイル動作を容易にするために、小型バッテリーなどの内部電源（図示せず）を有し得る。いくつかの例では、ＵＥ１２１５は、図１および／または図２を参照して説明したＵＥ１１５、２１５、２１５−ａ、２１５−ｂ、および／または２１５−ｃのうちの１つまたは複数の態様、ならびに／あるいは図８、図９および／または図１０を参照して説明した装置８０５、９０５および／または１００５のうちの１つまたは複数の態様の一例であり得る。ＵＥ１２１５は、図１〜図１０を参照して説明したＵＥおよび／または装置の特徴および機能の少なくともいくつかを実装するように構成され得る。
【０１１２】
[0125]ＵＥ１２１５は、ＵＥプロセッサモジュール１２１０、ＵＥメモリモジュール１２２０、（ＵＥトランシーバモジュール１２３０によって表される）少なくとも１つのＵＥトランシーバモジュール、（ＵＥアンテナ１２４０によって表される）少なくとも１つのＵＥアンテナ、および／またはＵＥワイヤレス通信管理モジュール１２６０を含み得る。これらの構成要素の各々は、１つまたは複数のバス１２３５を介して直接または間接的に互いに通信していることがある。
【０１１３】
[0126]ＵＥメモリモジュール１２２０はＲＡＭおよび／またはＲＯＭを含み得る。ＵＥメモリモジュール１２２０は、実行されたとき、ワイヤレス通信に関係する本明細書で説明する様々な機能をＵＥプロセッサモジュール１２１０に実施させるように構成された命令を含んでいるコンピュータ可読、コンピュータ実行可能コード１２２５を記憶し得る。代替的に、コード１２２５は、ＵＥプロセッサモジュール１２１０によって直接的に実行可能でないことがあるが、（たとえば、コンパイルされ実行されたとき）本明細書で説明する様々な機能をＵＥ１２１５に実施させるように構成され得る。
【０１１４】
[0127]ＵＥプロセッサモジュール１２１０は、インテリジェントハードウェアデバイス、たとえば、ＣＰＵ、マイクロコントローラ、ＡＳＩＣなどを含み得る。ＵＥプロセッサモジュール１２１０は、ＵＥトランシーバモジュール１２３０を通して受信された情報、および／またはＵＥアンテナ１２４０を通した送信のためにＵＥトランシーバモジュール１２３０に送られるべき情報を処理し得る。ＵＥプロセッサモジュール１２１０は、単独でまたはＵＥワイヤレス通信管理モジュール１２６０とともに、認可無線周波数スペクトル帯域（たとえば、ＬＴＥ／ＬＴＥ−Ａ通信のために使用可能な認可無線周波数スペクトル帯域など、無線周波数スペクトル帯域が特定の用途のために特定のユーザに認可されているので、装置がアクセスを求めて競合しない無線周波数スペクトル帯域）、ならびに／あるいは無認可無線周波数スペクトル帯域（たとえば、無線周波数スペクトル帯域がＷｉ−Ｆｉ用途などの無認可の用途のために利用可能であるので、装置がアクセスを求めて競合する必要があり得る無認可無線周波数スペクトル帯域などの共有無線周波数スペクトル帯域、または無線周波数スペクトル帯域が競合ベースで２つ以上の事業者による使用のために利用可能であるので、装置がアクセスを求めて競合する必要があり得る認可無線周波数スペクトル帯域）を介して通信すること（またはそれを介した通信を管理すること）の様々な態様を扱い得る。
【０１１５】
[0128]ＵＥトランシーバモジュール１２３０は、パケットを変調し、変調されたパケットを送信のためにＵＥアンテナ１２４０に提供し、ＵＥアンテナ１２４０から受信されたパケットを復調するように構成されたモデムを含み得る。ＵＥトランシーバモジュール１２３０は、いくつかの例では、１つまたは複数のＵＥ送信機モジュールおよび１つまたは複数の別個のＵＥ受信機モジュールとして実装され得る。ＵＥトランシーバモジュール１２３０は、認可無線周波数スペクトル帯域および／または無認可無線周波数スペクトル帯域における通信をサポートし得る。ＵＥトランシーバモジュール１２３０は、図１および／または図２を参照して説明した基地局１０５、２０５、および／または２０５−ａのうちの１つまたは複数、ならびに／あるいは図８、図９、および／または図１０を参照して説明した装置８０５、９０５、および／または１００５のうちの１つまたは複数と、ＵＥアンテナ１２４０を介して双方向に通信するように構成され得る。ＵＥ１２１５は単一のＵＥアンテナを含み得るが、ＵＥ１２１５が複数のＵＥアンテナ１２４０を含み得る例があり得る。
【０１１６】
[0129]ＵＥワイヤレス通信管理モジュール１２６０は、ワイヤレス通信に関する図１〜図１０を参照して説明した特徴および／または機能（たとえば、無認可無線周波数スペクトル帯域を介して通信するためのフレーム構造を決定することに関する機能など）の一部または全部を実行および／または制御するように構成され得る。たとえば、ＵＥワイヤレス通信管理モジュール１２６０は、認可無線周波数スペクトル帯域および／または無認可無線周波数スペクトル帯域を使用して、補助ダウンリンクモード、キャリアアグリゲーションモード、および／またはスタンドアロンモードをサポートするように構成され得る。ＵＥワイヤレス通信管理モジュール１２６０は、認可無線周波数スペクトル帯域におけるＬＴＥ／ＬＴＥ−Ａ通信を扱うように構成されたＵＥ  ＬＴＥ／ＬＴＥ−Ａ認可ＲＦスペクトル帯域モジュール１２６５と、無認可無線周波数スペクトルにおけるＬＴＥ／ＬＴＥ−Ａ通信を扱うように構成されたＵＥ  ＬＴＥ／ＬＴＥ−Ａ無認可ＲＦスペクトル帯域モジュール１２７０とを含み得る。ＵＥワイヤレス通信管理モジュール１２６０またはそれの部分は、プロセッサを含み得、ならびに／あるいはＵＥワイヤレス通信管理モジュール１２６０の機能の一部または全部は、ＵＥプロセッサモジュール１２１０によっておよび／またはＵＥプロセッサモジュール１２１０に関連して実施され得る。いくつかの例では、ＵＥワイヤレス通信管理モジュール１２６０は、図８、図９、および／または図１０を参照して説明したワイヤレス通信管理モジュール８２０、９２０、および／または１０２０の一例であり得る。
【０１１７】
[0130]図１３は、本開示の様々な態様による、ワイヤレス通信のための方法１３００の一例を示すフローチャートである。明快のために、方法１３００について、図１および／または図２を参照して説明した基地局１０５および２０５ならびに／あるいはＵＥ１１５および２１５のうちの１つまたは複数の態様、ならびに／あるいは図８、図９、および／または図１０を参照して説明した装置８０５、９０５、および／または１００５のうちの１つまたは複数の態様を参照しながら以下で説明する。いくつかの例では、基地局、ＵＥ、および／または装置は、以下で説明する機能を実施するように基地局、ＵＥ、および／または装置の機能要素を制御するためのコードの１つまたは複数のセットを実行し得る。
【０１１８】
[0131]ブロック１３０５において、方法１３００は、無認可無線周波数スペクトル帯域を使用した送信のためのフレーム構造を識別することを含み得る。いくつかの例では、フレーム構造は、ＴＤＤフレーム構造を含み得る。ブロック１３０５における動作は、図８、図９、および／または図１０を参照して説明したワイヤレス通信管理モジュール８２０、９２０、および／または１０２０、ならびに／あるいは図８、図９、および／または図１０を参照して説明したフレーム構造モジュール８４０、９４０、および／または１０４０を使用して実行され得る。
【０１１９】
[0132]ブロック１３１０において、方法１３００は、フレーム構造の少なくとも２つの特殊サブフレームを識別することを含み得る。いくつかの例では、少なくとも２つの特殊サブフレームのうちの少なくとも１つは、サイレント期間を含み得る。ブロック１３１０における動作は、図８、図９、および／または図１０を参照して説明したワイヤレス通信管理モジュール８２０、９２０、および／または１０２０、ならびに／あるいは図８、図９、および／または図１０を参照して説明したフレーム構造モジュール８４０、９４０、および／または１０４０、ならびに／あるいは図９および／または図１０を参照して説明した特殊サブフレームモジュール９５０および／または１０５０を使用して実行され得る。
【０１２０】
[0133]ブロック１３１５において、方法１３００は、少なくとも２つの特殊サブフレームのうちの少なくとも１つの少なくとも一部分中に無認可無線周波数スペクトル帯域へのアクセスを獲得するための手順を実行することを含み得る。いくつかの例では、無認可無線周波数スペクトル帯域へのアクセスを獲得するための手順は、リッスンビフォアトーク手順を含み得る。いくつかの例では、リッスンビフォアトーク手順を実行することは、ｅＣＣＡ手順を実行することを含み得る。いくつかの例では、少なくとも２つの特殊サブフレームは、アップリンク特殊サブフレームとダウンリンク特殊サブフレームとを含み得る。いくつかの例では、アップリンク特殊サブフレームの少なくとも一部分は、ｅＣＣＡ手順を含み得、ダウンリンク特殊サブフレームの少なくとも一部分は、ｅＣＣＡ手順を含み得る。いくつかの例では、アップリンク特殊サブフレームの少なくとも一部分は、サイレント期間を含み得、ダウンリンク特殊サブフレームの少なくとも一部分は、ｅＣＣＡ手順を含み得る。
【０１２１】
[0134]ブロック１３１５における動作は、図８、図９、および／または図１０を参照して説明したワイヤレス通信管理モジュール８２０、９２０、および／または１０２０、ならびに／あるいは図８、図９、および／または図１０を参照して説明したアクセス手順モジュール８４５、９４５、および／または１０４５を使用して実行され得る。したがって、方法１３００はワイヤレス通信を提供し得る。方法１３００は一実装形態にすぎず、方法１３００の動作は、他の実装形態が可能であるように再構成されるか、または場合によっては修正され得ることに留意されたい。
【０１２２】
[0135]図１４は、本開示の様々な態様による、ワイヤレス通信の方法１４００の一例を示すフローチャートである。明快のために、方法１４００について、図１および／または図２を参照して説明した基地局１０５および２０５、ならびに／またはＵＥ１１５および２１５のうちの１つまたは複数の態様、図８、図９、および／または図１０を参照して説明した装置８０５、９０５、および／または１００５のうちの１つまたは複数の態様を参照して以下で説明する。いくつかの例では、基地局、ＵＥおよび／または装置は、以下で説明する機能を実施するように基地局、ＵＥおよび／または装置の機能要素を制御するためのコードの１つまたは複数のセットを実行し得る。
【０１２３】
[0136]ブロック１４０５において、方法１４００は、無認可無線周波数スペクトル帯域を使用した送信のためのフレーム構造を識別することを含み得る。いくつかの例では、フレーム構造は、ＴＤＤフレーム構造を含み得る。ブロック１４０５における動作は、図８、図９、および／または図１０を参照して説明したワイヤレス通信管理モジュール８２０、９２０、および／または１０２０、ならびに／あるいは図８、図９、および／または図１０を参照して説明したフレーム構造モジュール８４０、９４０、および／または１０４０を使用して実行され得る。
【０１２４】
[0137]ブロック１４１０において、方法１３００は、フレーム構造の少なくとも２つの特殊サブフレームを識別することを含み得る。いくつかの例では、少なくとも２つの特殊サブフレームのうちの少なくとも１つは、サイレント期間を含み得る。ブロック１４１０における動作は、図８、図９、および／または図１０を参照して説明したワイヤレス通信管理モジュール８２０、９２０、および／または１０２０、ならびに／あるいは図８、図９、および／または図１０を参照して説明したフレーム構造モジュール８４０、９４０、および／または１０４０、ならびに／あるいは図９および／または図１０を参照して説明した特殊サブフレームモジュール９５０および／または１０５０を使用して実行され得る。
【０１２５】
[0138]ブロック１４１５において、方法１４００は、少なくとも２つの特殊サブフレームのうちの少なくとも１つの少なくとも一部分中に無認可無線周波数スペクトル帯域へのアクセスを獲得するための手順を実行することを含み得る。いくつかの例では、無認可無線周波数スペクトル帯域へのアクセスを獲得するための手順は、リッスンビフォアトーク手順を含み得る。いくつかの例では、リッスンビフォアトーク手順を実行することは、ｅＣＣＡ手順を実行することを含み得る。いくつかの例では、少なくとも２つの特殊サブフレームは、アップリンク特殊サブフレームとダウンリンク特殊サブフレームとを含み得る。いくつかの例では、アップリンク特殊サブフレームの少なくとも一部分は、ｅＣＣＡ手順を含み得、ダウンリンク特殊サブフレームの少なくとも一部分は、ｅＣＣＡ手順を含み得る。いくつかの例では、アップリンク特殊サブフレームの少なくとも一部分は、サイレント期間を含み得、ダウンリンク特殊サブフレームの少なくとも一部分は、ｅＣＣＡ手順を含み得る。ブロック１４１５における動作は、図８、図９、および／または図１０を参照して説明したワイヤレス通信管理モジュール８２０、９２０、および／または１０２０、ならびに／あるいは図８、図９、および／または図１０を参照して説明したアクセス手順モジュール８４５、９４５、および／または１０４５、ならびに／あるいは図９および／または図１０を参照して説明したリッスンビフォアトークモジュール９５５および／または１０５５を使用して実行され得る。
【０１２６】
[0139]ブロック１４２０において、方法１４００は、リッスンビフォアトーク手順が実行される少なくとも２つの特殊サブフレームのうちの少なくとも１つの一部分を動的に調整することを含み得る。いくつかの例では、少なくとも２つの特殊サブフレームのうちの少なくとも１つの一部分を動的に調整することは、チャネル占有時間に関連する第１の値を識別することと、第１の値に少なくとも部分的に基づいて第２の値を識別することとを含み得る。第２の値は、実行すべきｅＣＣＡ手順の数を示すカウンタであり得る。いくつかの例では、少なくとも２つの特殊サブフレームのうちの少なくとも１つは、サイレント期間を備え、サイレント期間の継続時間は、第２の値に少なくとも部分的に基づく。ブロック１４２０における動作は、図８、図９、および／または図１０を参照して説明したワイヤレス通信管理モジュール８２０、９２０、および／または１０２０、ならびに／あるいは図８、図９、および／または図１０を参照して説明したフレーム構造モジュール８４０、９４０、および／または１０４０、ならびに／あるいは図９および／または図１０を参照して説明した特殊サブフレームモジュール９５０および／または１０５０を使用して実行され得る。
【０１２７】
[0140]いくつかの例では、方法１４００は、さらに、成功したＣＣＡ手順を決定することと、成功したＣＣＡ手順の決定時に第２の値を減分することと、第２の値が０に等しいかどうかを決定することとを含み得る。いくつかの例では、方法１４００は、さらに、少なくとも１つの特殊サブフレームの終わりに第２の値が０に等しくない場合、少なくとも２つの特殊サブフレームのうちの少なくとも１つの一部分を越えてリッスンビフォアトーク手順を継続することを含み得る。いくつかの例では、第２の値が０に等しいと決定すると、本方法は、情報信号を送信することをさらに含み得る。いくつかの例では、第２の値が０に等しいと決定すると、方法１４００は、さらに、単純なＣＣＡ手順を実行することと、少なくとも２つの特殊サブフレームのうちの少なくとも１つ中に情報信号を送信することとを含み得る。いくつかの例では、情報信号は、チャネル使用ビーコン信号を含み得る。いくつかの例では、情報信号は、チャネル使用ビーコン信号の少なくとも１つのシンボルを含み得る。
【０１２８】
[0141]いくつかの例では、方法１４００は、さらに、情報信号を送信するために少なくとも２つの特殊サブフレームのうちの少なくとも１つの一部分の境界を動的に調節することを含み得る。境界の調整は、識別された第２の値に少なくとも部分的に基づき得る。いくつかの例では、チャネル占有時間に関連する第１の値を識別することは、複数の第１の値を備えるデータベースにアクセスすることと、データベースから複数の第１の値のうちの１つを選択することとを含み得る。いくつかの例では、チャネル占有時間に関連する第１の値を識別することは、ユニキャスト送信またはブロードキャスト送信を介して第１の値を受信することを含み得る。いくつかの例では、方法１４００は、さらに、ユニキャスト送信またはブロードキャスト送信を介して識別された第１の値を送信することを含み得る。いくつかの例では、第１の値は、アップリンク／ダウンリンク（ＵＬ／ＤＬ）構成に少なくとも部分的に基づいて識別され得る。いくつかの例では、第１の値は、無認可無線周波数スペクトル帯域のチャネルの負荷に少なくとも部分的に基づいて識別され得る。いくつかの例では、第１の値は、チャネルアクセス成功統計値に少なくとも部分的に基づいて識別され得る。
【０１２９】
[0142]いくつかの例では、方法１４００は、さらに、第２の値に少なくとも部分的に基づいてリッスンビフォアトーク手順を基地局と同期させることを含み得る。いくつかの例では、第２の値は、ダウンリンクチャネル占有時間に少なくとも部分的に基づいて識別される。いくつかの例では、方法１４００は、さらに、第２の値に少なくとも部分的に基づいてリッスンビフォアトーク手順をＵＥと同期させることを含み得る。いくつかの例では、第２の値は、アップリンクチャネル占有時間に少なくとも部分的に基づいて識別される。
【０１３０】
[0143]ブロック１４２０における動作は、図８、図９、および／または図１０を参照して説明したワイヤレス通信管理モジュール８２０、９２０、および／もしくは１０２０を使用して実行され得る。このようにして、方法１４００はワイヤレス通信を提供し得る。方法１４００は一実装形態にすぎず、方法１４００の動作は、他の実装形態が可能であるように再構成されるか、または別様に修正され得ることに留意されたい。
【０１３１】
[0144]添付の図面に関して上記に記載した発明を実施するための形態は、例示的な実施形態について説明しており、実装され得るかまたは特許請求の範囲内に入る実施形態のみを表すものではない。「例」または「例示的」という用語は、本明細書で使用されるとき、「例、事例、または例示として働く」ことを意味し、「好ましい」または「他の実施形態よりも有利である」ことを意味するものではない。発明を実施するための形態は、説明した技法の理解を与える目的で具体的な詳細を含む。ただし、これらの技法は、これらの具体的な詳細なしに実施され得る。いくつかの事例では、説明した実施形態の概念を不明瞭にすることを避けるために、よく知られている構造およびデバイスがブロック図の形態で示されている。
【０１３２】
[0145]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１３３】
[0146]本明細書の開示に関して説明した様々な例示的なブロックおよびモジュールは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１３４】
[0147]本明細書で説明した機能は、ハードウェア、プロセッサによって実行されるソフトウェア、ファームウェア、またはそれらの任意の組合せで実装され得る。プロセッサによって実行されるソフトウェアで実装された場合、機能は、コンピュータ可読媒体上に記憶されるか、あるいは非一時的コンピュータ可読媒体上で１つまたは複数の命令またはコードとして送信され得る。他の例および実装形態は、本開示および添付の特許請求の範囲の範囲および趣旨内にある。たとえば、ソフトウェアの性質により、上で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１３５】
[0148]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブルＲＯＭ（ＥＥＰＲＯＭ（登録商標））、コンピュータディスクＲＯＭ（ＣＤＲＯＭ）または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、ＣＤ（disc）、レーザディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【０１３６】
[0149]本開示についての以上の説明は、当業者が本開示を作成または使用することができるように提供されるものである。本開示への様々な変更は当業者には容易に明らかになり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についてのいかなる選好も暗示または要求しない。したがって、本開示は、本明細書で説明した例および設計に限定されるべきでなく、本明細書で開示する原理および新規の特徴に合致する最も広い範囲を与えられるべきである。
以下に本願の出願当初の特許請求の範囲に記載された発明を付記する。
[Ｃ１]  ワイヤレス通信のための方法であって、
無認可無線周波数スペクトル帯域を使用した送信のためのフレーム構造を識別することと、前記フレーム構造が、少なくとも２つの特殊サブフレームを備える、
前記少なくとも２つの特殊サブフレームのうちの少なくとも１つの少なくとも一部分中に前記無認可無線周波数スペクトル帯域へのアクセスを獲得するための手順を実行することと
を備える、ワイヤレス通信のための方法。
[Ｃ２]  前記フレーム構造が、時分割複信（ＴＤＤ）フレーム構造を備える、Ｃ１に記載の方法。
[Ｃ３]  前記無認可無線周波数スペクトル帯域へのアクセスを獲得するための前記手順が、リッスンビフォアトーク手順を備える、ここにおいて、前記リッスンビフォアトーク手順を実行することが、拡張クリアチャネルアセスメント（ｅＣＣＡ）手順を実行することを備える、Ｃ１に記載の方法。
[Ｃ４]  前記少なくとも２つの特殊サブフレームが、アップリンク特殊サブフレームとダウンリンク特殊サブフレームとを備える、Ｃ３に記載の方法。
[Ｃ５]  前記アップリンク特殊サブフレームの少なくとも一部分が、前記ｅＣＣＡ手順のために使用され、前記ダウンリンク特殊サブフレームの少なくとも一部分が、前記ｅＣＣＡ手順のために使用される、Ｃ４に記載の方法。
[Ｃ６]  前記ダウンリンク特殊サブフレームの少なくとも一部分が、前記ｅＣＣＡ手順のために使用される、Ｃ４に記載の方法。
[Ｃ７]  前記ｅＣＣＡ手順が実行される前記少なくとも２つの特殊サブフレームのうちの前記少なくとも１つの前記一部分を動的に調整すること
をさらに備える、Ｃ３に記載の方法。
[Ｃ８]  前記少なくとも２つの特殊サブフレームのうちの前記少なくとも１つの前記一部分を動的に調整することが、
チャネル占有時間に関連する第１の値を識別することと、
前記第１の値に少なくとも部分的に基づいて第２の値を識別することと、前記第２の値が、前記ｅＣＣＡ手順の一部として実行すべき成功したＣＣＡ手順の数を示すカウンタである、
を備える、Ｃ７に記載の方法。
[Ｃ９]  前記識別された第１の値が、４と３２との間の整数である、Ｃ８に記載の方法。
[Ｃ１０]  前記少なくとも２つの特殊サブフレームのうちの少なくとも１つが、サイレント期間を備える、前記サイレント期間の継続時間が、前記第２の値に少なくとも部分的に基づく、Ｃ８に記載の方法。
[Ｃ１１]  成功したＣＣＡ手順を決定することと、
前記成功したＣＣＡ手順の前記決定時に前記第２の値を減分することと、
前記第２の値が０に等しいかどうかを決定することと
をさらに備える、Ｃ８に記載の方法。
[Ｃ１２]  前記少なくとも２つの特殊サブフレームのうちの前記少なくとも１つの終わりに前記第２の値が０に等しくない場合、前記少なくとも２つの特殊サブフレームのうちの前記少なくとも１つの前記一部分を越えて前記リッスンビフォアトーク手順を継続すること
をさらに備える、Ｃ１１に記載の方法。
[Ｃ１３]  前記第２の値が０に等しいと決定すると、情報信号を送信すること
をさらに備える、Ｃ１１に記載の方法。
[Ｃ１４]  前記情報信号が、チャネル使用ビーコン信号を備える、Ｃ１３に記載の方法。
[Ｃ１５]  前記情報信号を送信するために前記少なくとも２つの特殊サブフレームのうちの前記少なくとも１つの前記一部分の境界を動的に調整すること、前記境界の前記調整が、前記識別された第２の値に少なくとも部分的に基づく、
をさらに備える、Ｃ１３に記載の方法。
[Ｃ１６]  前記第１の値が、アップリンク／ダウンリンク（ＵＬ／ＤＬ）構成に少なくとも部分的に基づいて識別される、Ｃ８に記載の方法。
[Ｃ１７]  前記第１の値が、前記無認可無線周波数スペクトル帯域のチャネルの負荷に少なくとも部分的に基づいて識別される、Ｃ８に記載の方法。
[Ｃ１８]  前記第１の値が、チャネルアクセス成功統計値に少なくとも部分的に基づいて識別される、Ｃ８に記載の方法。
[Ｃ１９]  前記チャネル占有時間に関連する前記第１の値を識別することが、ユニキャスト送信またはブロードキャスト送信を介して前記第１の値を受信することを備える、Ｃ８に記載の方法。
[Ｃ２０]  ユニキャスト送信またはブロードキャスト送信を介して前記識別された第１の値を送信すること
をさらに備える、Ｃ８に記載の方法。
[Ｃ２１]  前記第２の値に少なくとも部分的に基づいて前記リッスンビフォアトーク手順を基地局と同期させること
をさらに備える、Ｃ８に記載の方法。
[Ｃ２２]  前記第２の値が、ダウンリンクチャネル占有時間に少なくとも部分的に基づいて識別される、Ｃ８に記載の方法。
[Ｃ２３]  前記第２の値に少なくとも部分的に基づいて前記リッスンビフォアトーク手順をユーザ機器（ＵＥ）と同期させること
をさらに備える、Ｃ８に記載の方法。
[Ｃ２４]  ワイヤレス通信のための装置であって、
プロセッサと、
前記プロセッサと電子通信しているメモリと、
前記メモリに記憶された命令と、前記命令が、前記プロセッサによって、
無認可無線周波数スペクトル帯域を使用した送信のためのフレーム構造を識別することと、前記フレーム構造が、少なくとも２つの特殊サブフレームを備える、
前記少なくとも２つの特殊サブフレームのうちの少なくとも１つの少なくとも一部分中に前記無認可無線周波数スペクトル帯域へのアクセスを獲得するための手順を実行することと
を行うように実行可能である、
を備える、ワイヤレス通信のための装置。
[Ｃ２５]  前記無認可無線周波数スペクトル帯域へのアクセスを獲得するための前記手順が、リッスンビフォアトーク手順を備える、ここにおいて、前記リッスンビフォアトーク手順を実行することが、拡張クリアチャネルアセスメント（ｅＣＣＡ）手順を実行することを備える、Ｃ２４に記載の装置。
[Ｃ２６]  前記少なくとも２つの特殊サブフレームが、アップリンク特殊サブフレームとダウンリンク特殊サブフレームとを備える、ここにおいて、前記ダウンリンク特殊サブフレームの少なくとも一部分が、前記ｅＣＣＡ手順を備える、Ｃ２５に記載の装置。
[Ｃ２７]  前記命令が、前記プロセッサによって、
前記ｅＣＣＡ手順が実行される前記少なくとも２つの特殊サブフレームのうちの前記少なくとも１つの前記一部分を動的に調整すること
を行うように実行可能である、Ｃ２５に記載の装置。
[Ｃ２８]  前記少なくとも２つの特殊サブフレームのうちの前記少なくとも１つの前記一部分を動的に調整することが、
チャネル占有時間に関連する第１の値を識別することと、
前記第１の値に少なくとも部分的に基づいて第２の値を識別することと、前記第２の値が、実行すべきｅＣＣＡ手順の数を示すカウンタである、
を備える、Ｃ２７に記載の装置。
[Ｃ２９]  ワイヤレス通信のための装置であって、
無認可無線周波数スペクトル帯域を使用した送信のためのフレーム構造を識別するための手段と、前記フレーム構造が、少なくとも２つの特殊サブフレームを備える、
前記少なくとも２つの特殊サブフレームのうちの少なくとも１つの少なくとも一部分中に前記無認可無線周波数スペクトル帯域へのアクセスを獲得するための手順を実行するための手段と
を備える、ワイヤレス通信のための装置。
[Ｃ３０]  無認可無線周波数スペクトル帯域を使用した送信のためのフレーム構造を識別することと、前記フレーム構造が、少なくとも２つの特殊サブフレームを備える、
前記少なくとも２つの特殊サブフレームのうちの少なくとも１つの少なくとも一部分中に前記無認可無線周波数スペクトル帯域へのアクセスを獲得するための手順を実行することと
をワイヤレス通信装置に行わせるようにプロセッサによって実行可能な命令を記憶する非一時的コンピュータ可読媒体。
【図１】
0006545720.tif 000002
【図２】
0006545720.tif 000003
【図３】
0006545720.tif 000004
【図４】
0006545720.tif 000005
【図５】
0006545720.tif 000006
【図６】
0006545720.tif 000007
【図７】
0006545720.tif 000008
【図８】
0006545720.tif 000009
【図９】
0006545720.tif 000010
【図１０】
0006545720.tif 000011
【図１１】
0006545720.tif 000012
【図１２】
0006545720.tif 000013
【図１３】
0006545720.tif 000014
【図１４】
0006545720.tif 000015